(57)【要約】【課題】ビーズ１に固定した金属製のワイヤー３の丸めた部分に丸カン５を通してビーズユニット７を作り、あるいは、金属製のワイヤー３を屈曲して形成するモチーフ１３の丸めた部分に丸カン５を通してモチーフユニット１５を作り、隣り合う丸カン５を共有することで複数のビーズユニット及びモチーフユニットを連ね、装飾品９を製作する際に、丸カンがワイヤー３を丸めるための芯材に干渉せず、きれいな丸みが形成でき、きれいなモチーフが形成でき、複雑な形状を有するモチーフを形成できる治具を提供する。【解決手段】筒状治具６は、ワイヤー３を巻きつけるための筒状の本体３９と、この本体３９の開放された先端部４９に長手方向へ形成され前記丸カン５を挿入できるスリット４１と、を有する。複数の筒状治具６を、デザインボード治具１１の固定穴１７や溝１９に固定し、筒状治具６に線材を連続して巻きつけることで、モチーフユニット１５を容易に作れる。【選択図】図２７Ａ
2010279444.tif 000002
【特許請求の範囲】
【請求項１】
ビーズに固定した金属製の線材の丸めた部分に丸カン類を通してビーズユニットを作り、この１個のビーズユニットを用いて、又は前記丸カン類を共有することで複数の前記ビーズユニットを連ねたものを用いて、装飾品を製作するための製作用の治具、
あるいは、金属製の線材を屈曲して形成するモチーフの丸めた部分に丸カン類を通してモチーフユニットを作り、前記丸カン類を共有することで複数の前記ビーズユニット及び前記モチーフユニットを連ねたものを用いて、装飾品を製作するための製作用の治具、
であって、前記線材を巻きつけるための筒状の本体と、この本体の開放された先端部に長手方向へ形成され前記丸カン類を挿入できるスリットと、前記筒状の本体を支持する本体支持部とを有し、前記本体支持部の中央付近は、曲がっていることを特徴とする装飾品製作用の筒状治具。
【請求項２】
前記筒状の本体は、湾曲しながら前記本体支持部に接続していることを特徴とする請求項１に記載の装飾品製作用の筒状治具。
【請求項３】
前記金属製の線材は、ワイヤー又はピンであり、前記ビーズユニットは、前記ビーズに形成した貫通孔に前記線材を通して固定し、この固定した線材の丸めた部分に丸カン類を通して作ったものであり、前記装飾品はネックレス、イヤリング、リストリング、又はアンクルリングであることを特徴とする請求項１又は２に記載の装飾品製作用の筒状治具。
【請求項４】
前記筒状の本体の先端部付近には、前記線材の始端部を挿入して係止するための係止孔が設けられていることを特徴とする請求項１から３のいずれかに記載の装飾品製作用の筒状治具。
【請求項５】
前記筒状の本体の先端部付近は、複数に分岐し、これら複数の先端部に、前記スリットが形成されていることを特徴とする請求項１から４のいずれかに記載の装飾品製作用の筒状治具。
【請求項６】
前記筒状の本体の先端部付近は、複数に分岐し、これら複数のうち一部の先端部には、前記スリットが形成され、残りの先端部は、径の異なる筒状となり、前記線材を連続して巻きつけることで前記モチーフがデザインされることを特徴とする請求項１から５のいずれかに記載の装飾品製作用の筒状治具。
【請求項７】
前記複数の先端部のうち２つの先端部が違いに反対方向に向いていることを特徴とする請求項６に記載の装飾品製作用の筒状治具。
【請求項８】
請求項１から７のいずれかに記載の筒状治具を複数隣接して固定し、これら複数の筒状治具に前記線材を連続して巻きつけることで前記モチーフをデザインして前記モチーフユニットを作り、前記装飾品を製作するための製作用の治具であって、
前記筒状治具の基部を挿入し固定するための多数の固定穴を有することを特徴とする装飾品製作用のデザインボード治具。
【請求項９】
請求項１から７のいずれかに記載の筒状治具を複数隣接して固定し、これら複数の筒状治具に前記線材を連続して巻きつけることで前記モチーフをデザインして前記モチーフユニットを作り、前記装飾品を製作するための製作用の治具であって、
前記筒状治具の基部を挿入するための溝と、この挿入された基部を締め付けることで前記溝における長手方向の位置を固定するネジ機構（移動又は固定式も可、複数も可）と、を有することを特徴とする装飾品製作用のデザインボード治具。
【請求項１０】
請求項１から７のいずれかに記載の筒状治具を複数隣接して固定し、これら複数の筒状治具に前記線材を連続して巻きつけることで前記モチーフをデザインして前記モチーフユニットを作り、前記装飾品を製作するための製作用の治具であって、
前記筒状治具の基部の先端には鍵部が形成されており、
前記筒状治具の基部の先端を挿入し固定するための多数の固定穴と、
この挿入された基部の先端を、前記固定穴の底部に前記筒状治具の基部の先端と同じ形状の係止する鍵穴に、挿入して固定する鍵機構と
を有することを特徴とする装飾品製作用のデザインボード治具。
【請求項１１】
請求項１から７のいずれかに記載の筒状治具を複数隣接して固定し、これら複数の筒状治具に前記線材を連続して巻きつけることで前記モチーフをデザインして前記モチーフユニットを作り、前記装飾品を製作するための製作用の治具であって、
前記筒状治具の基部には貫通穴が形成されており、
前記筒状治具の基部を挿入し固定するための多数の固定穴と、
この挿入された基部の貫通穴に挿入し締め付けることで前記固定穴における軸方向の位置及び回転方向の位置を固定するネジ機構と
を有することを特徴とする装飾品製作用のデザインボード治具。
【請求項１２】
前記多数の固定穴は、一方のグループに属する多数の固定孔と、他方のグループに属する多数の固定孔とに分けられ、
前記一方のグループに属する多数の固定孔は、互いに異なる穴径を有し、
前記他方のグループに属する多数の固定孔は、それぞれ、前記一方のグループに属する固定孔と同じ穴径を有することを特徴とする請求項８又は１１に記載の装飾品製作用のデザインボード治具。
【請求項１３】
前記互いに異なる穴径の差は、所定の寸法であることを特徴とする請求項１２に記載の装飾品製作用のデザインボード治具。
【請求項１４】
請求項１から７のいずれかに記載の筒状治具と、請求項８から１３のいずれかに記載のデザインボード治具と、前記線材を巻きつけることで前記モチーフをデザインする際に、前記線材を補助的に支持するための形状を先端に形成した補助筒状治具と、を備えたことを特徴とする装飾品製作用の治具セット。
【請求項１５】
請求項１から７のいずれかに記載の筒状治具と、請求項８から１３のいずれかに記載のデザインボード治具と、前記デザインボード治具を取り外し可能に保持するクランプ機構を有する治具台と、を備えたことを特徴とする装飾品製作用の治具セット。
【請求項１６】
請求項１から７のいずれかに記載の筒状治具と、請求項８から１３のいずれかに記載のデザインボード治具を取り外し可能に保持するクランプ機構を有する治具台と、を備えた治具セットであって、
前記クランプ機構は、前記筒状治具の基部を挿入し固定するための多数の固定穴を有することを特徴とする装飾品製作用の治具セット。
【請求項１７】
請求項１から７のいずれかに記載の筒状治具と、前記筒状治具を把持する一対のバイスアタッチメントと、を備えた治具セットであって、
前記バイスアタッチメントには、永久磁石部が形成されていることを特徴とする装飾品製作用の治具セット。
【請求項１８】
前記治具台は、テーブルのような固定台に着脱する着脱機構を備えたことを特徴とする請求項１５又は１６に記載の装飾品製作用の治具セット。
【発明の詳細な説明】
【技術分野】
【０００１】
本発明は、ビーズ、線材を用いて装飾品を製作するための治具の構造に関する。詳しくは、本発明は、ビーズに固定した金属製の線材の丸めた部分に丸カン類を通してビーズユニットを作り、このビーズユニットを１個用いて、装飾品を製作する。又は、丸カン類を共有することで複数のビーズユニットを連ね、装飾品を製作する。あるいは、金属製の線材を屈曲して形成するモチーフの丸めた部分に丸カン類を通してモチーフユニットを作り、丸カン類を共有することで複数のビーズユニット及びモチーフユニットを連ね、装飾品を製作する。それらの製作用の治具の構造に関する。
【０００２】
ここで丸カン類とは、図示する丸カン以外にも、後述するスリットに挿入できる形状のすべての金具、例えばパーツ、チェーン、などをいう。
【背景技術】
【０００３】
この発明においてビーズとは、自然石、人工石、プラスチック、ガラス、木片、貝、真珠など身体の装飾に用いられるものすべてをいう。また、装飾品とは、ネックレス、イヤリング、リストリング、又はアンクルリングなど、身体の装飾を行うすべての物品をいう。
【０００４】
そのようなビーズ、線材を用いて装飾品を製作する一般的な方法として、金属製の線材であるワイヤーやピンを、ビーズ（図６Ｂ、図９Ｂ参照）に貫通させるなどして固定し、その固定した金属製の線材の一部を丸め、その丸めた部分に丸カン（図６Ｃ参照）を通してビーズユニットを作る。
【０００５】
この１個のビーズユニットを用いて、イヤリングなどを製作する（図９Ｄ（完成品の一部）参照）。又は丸カンを共有することで複数のビーズユニットを連ね、ネックレスなどを製作する（図６Ｄ（完成品の一部）参照）。
【０００６】
あるいは、さらに金属製の線材を屈曲してモチーフと呼ばれるものを形成する（図１２Ｃ参照）。そして、モチーフの丸めた部分に、丸カンを通して、モチーフユニットを作る。この丸カンを共有することで、複数のビーズユニット及びモチーフユニットを連ね、ネックレスあるいはイヤリングなどを製作する（図１２Ｅ参照）。
【０００７】
製作されたこれらの装飾品は、各ユニットが丸カンによって自由な動きが許される状態で連なり、装飾品に必要な全体的な柔軟性を有する。
【０００８】
これらの製作作業は、細かな作業をするための小さなペンチ、例えば平ペンチや丸ペンチなどを用いていた。
【０００９】
特に、金属製の線材の一部を丸める作業、線材を屈曲してモチーフと呼ばれるものを形成する屈曲作業などは、丸ペンチの先端に線材を巻きつけるなどして、行っていた。
【００１０】
また、下記特許文献１には、装身具用ワイヤーをコイル状に巻くために、芯材を用い、芯材の周りにワイヤーを巻きつける技術が開示される。
【先行技術文献】
【特許文献】
【００１１】
【特許文献１】特開２００１−２８６３１３号公報
【発明の概要】
【発明が解決しようとする課題】
【００１２】
しかしながら仮に、上記特許文献１に記載するように芯材を用いて、線材の一部を丸める作業、線材を屈曲してモチーフと呼ばれるものを形成する屈曲作業などを行うにしても、丸カンが芯材に接触し干渉して、うまく作業が行えず、きれいな丸みが形成できず、きれいなモチーフが形成できない。
【００１３】
また、１本の芯材を用いるだけでは、複雑な形状を有するモチーフを形成できない。
【００１４】
この発明は、以上の問題点を解決するために、丸カンが芯材に干渉せず、よって、きれいな丸みが形成でき、きれいなモチーフが形成でき、さらに、複雑な形状を有するモチーフを形成できる装飾品製作用の筒状治具、デザインボード治具、及び治具セットを提供することを目的とする。
【課題を解決するための手段】
【００１５】
以上の課題を解決するために、第一発明は、ビーズに固定した金属製の線材の丸めた部分に丸カンを通してビーズユニットを作り、この１個のビーズユニットを用いて、又は前記丸カンを共有することで複数の前記ビーズユニットを連ねたものを用いて、装飾品を製作するための製作用の治具、あるいは、金属製の線材を屈曲して形成するモチーフの丸めた部分に丸カンを通してモチーフユニットを作り、前記丸カンを共有することで複数の前記ビーズユニット及び前記モチーフユニットを連ねたものを用いて、装飾品を製作するための製作用の治具であって、前記線材を巻きつけるための筒状の本体と、この本体の開放された先端部に長手方向へ形成され前記丸カンを挿入できるスリットと、筒状の本体を支持する本体支持部とを有し、本体支持部の中央付近は、曲がっていることを特徴とする装飾品製作用の筒状治具である。
【００１６】
第二発明は、前記筒状の本体は、湾曲しながら前記本体支持部に接続していることを特徴とする装飾品製作用の筒状治具である。
【００１７】
第三発明は、さらに、前記金属製の線材は、ワイヤー又はピンであり、前記ビーズユニットは、前記ビーズに形成した貫通孔に前記線材を通して固定し、この固定した線材の丸めた部分に丸カンを通して作ったものであり、前記装飾品はネックレス、イヤリング、リストリング、又はアンクルリングであることを特徴とする装飾品製作用の筒状治具である。
【００１８】
第四発明は、さらに、前記筒状の本体の先端部付近には、前記線材の始端部を挿入して係止するための係止孔が設けられていることを特徴とする装飾品製作用の筒状治具である。
【００１９】
第五発明は、さらに、前記筒状の本体の先端部付近は、複数に分岐し、これら複数の先端部に、前記スリットが形成されていることを特徴とする装飾品製作用の筒状治具である。
【００２０】
第六発明は、さらに、前記筒状の本体の先端部付近は、複数に分岐し、これら複数のうち一部の先端部には、前記スリットが形成され、残りの先端部は、径の異なる筒状となり、前記線材を連続して巻きつけることで前記モチーフがデザインされることを特徴とする装飾品製作用の筒状治具である。
【００２１】
第七発明は、前記複数の先端部のうち２つの先端部が違いに反対方向に向いていることを特徴とする装飾品製作用の筒状治具である。
【００２２】
第八発明は、前記第一、第二、第三、第四、第五、第六、又は第七発明の筒状治具を複数隣接して固定し、これら複数の筒状治具に前記線材を連続して巻きつけることで前記モチーフをデザインして前記モチーフユニットを作り、前記装飾品を製作するための製作用の治具であって、前記筒状治具の基部を挿入し固定するための多数の固定穴を有することを特徴とする装飾品製作用のデザインボード治具である。
【００２３】
第九発明は、前記第一、第二、第三、第四、第五、第六、又は第七発明の筒状治具を複数隣接して固定し、これら複数の筒状治具に前記線材を連続して巻きつけることで前記モチーフをデザインして前記モチーフユニットを作り、前記装飾品を製作するための製作用の治具であって、前記筒状治具の基部を挿入するための溝と、この挿入された基部を締め付けることで前記溝における長手方向の位置を固定するネジ機構（移動又は固定式も可、複数も可）と、を有することを特徴とする装飾品製作用のデザインボード治具である。
【００２４】
第十発明は、前記第一、第二、第三、第四、第五、第六、又は第七発明の筒状治具を複数隣接して固定し、これら複数の筒状治具に前記線材を連続して巻きつけることで前記モチーフをデザインして前記モチーフユニットを作り、前記装飾品を製作するための製作用の治具であって、前記筒状治具の基部の先端には鍵部が形成されており、前記筒状治具の基部の先端を挿入し固定するための多数の固定穴と、この挿入された基部の先端を、前記固定穴の底部に前記筒状治具の基部の先端と同じ形状の係止する鍵穴に、挿入して固定する鍵機構とを有することを特徴とする装飾品製作用のデザインボード治具である。
【００２５】
第十一発明は、前記第一、第二、第三、第四、第五、第六、又は第七発明の筒状治具を複数隣接して固定し、これら複数の筒状治具に前記線材を連続して巻きつけることで前記モチーフをデザインして前記モチーフユニットを作り、前記装飾品を製作するための製作用の治具であって、前記筒状治具の基部には貫通穴が形成されており、前記筒状治具の基部を挿入し固定するための多数の固定穴と、この挿入された基部の貫通穴に挿入し締め付けることで前記固定穴における軸方向の位置及び回転方向の位置を固定するネジ機構とを有することを特徴とする装飾品製作用のデザインボード治具である。
【００２６】
第十二発明は、さらに、前記多数の固定穴は、一方のグループに属する多数の固定孔と、他方のグループに属する多数の固定孔とに分けられ、前記一方のグループに属する多数の固定孔は、互いに異なる穴径を有し、前記他方のグループに属する多数の固定孔は、それぞれ、前記一方のグループに属する固定孔と同じ穴径を有することを特徴とする装飾品製作用のデザインボード治具である。
【００２７】
第十三の発明は、さらに、前記互いに異なる穴径の差は、所定の寸法であることを特徴とする装飾品製作用のデザインボード治具である。
【００２８】
第十四発明は、前記第一、第二、第三、第四、第五、第六、又は第七発明の筒状治具と、第八、第九、第十、第十一、第十二、又は第十三発明のデザインボード治具と、前記線材を巻きつけることで前記モチーフをデザインする際に、前記線材を補助的に支持するための形状を先端に形成した補助筒状治具と、を備えたことを特徴とする装飾品製作用の治具セットである。
【００２９】
第十五発明は、前記第一、第二、第三、第四、第五、第六、又は第七発明の筒状治具と、第八、第九、第十、第十一、第十二、又は第十三発明のデザインボード治具と、前記デザインボード治具を取り外し可能に保持するクランプ機構を有する治具台と、を備えたことを特徴とする装飾品製作用の治具セットである。
【００３０】
第十六発明は、前記第一、第二、第三、第四、第五、第六、又は第七発明の筒状治具と、第八、第九、第十、第十一、第十二、又は第十三発明のデザインボード治具を取り外し可能に保持するクランプ機構を有する治具台と、を備えた治具セットであって、前記クランプ機構は、前記筒状治具の基部を挿入し固定するための多数の固定穴を有することを特徴とする装飾品製作用の治具セットである。
【００３１】
第十七発明は、前記第一、第二、第三、第四、第五、第六、又は第七発明の筒状治具と、前記筒状治具を把持する一対のバイスアタッチメントと、を備えた治具セットであって、前記アタッチメントには、永久磁石部が形成されていることを特徴とする装飾品製作用の治具セットである。
【００３２】
第十八発明は、前記治具台は、テーブルのような固定台に着脱する着脱機構を備えたことを特徴とする装飾品製作用の治具セットである。
【発明の効果】
【００３３】
本発明によれば、線材を筒状治具の本体に巻きつけて丸めた部分を形成する際に、丸カンをスリットに挿入できるので、丸カンが芯材としての筒状治具の本体に干渉せず、よって、きれいな丸みが形成できる。また、線材を筒状治具の本体に巻きつけてモチーフを形成する際に、丸カンをスリットに挿入できるので、丸カンが芯材としての筒状治具の本体に干渉せず、よって、きれいなモチーフが形成できる。
【００３４】
本発明によれば、線材を筒状治具の本体に巻きつけて丸めた部分を形成する際に、本体支持部の中央付近が曲がっているので、作業者の手が本体支持部に干渉しにくくなり、よって、きれいな丸みを効率良く形成できる。
【００３５】
本発明によれば、線材を筒状治具の本体に巻きつけて丸めた部分を形成する際に、筒状治具の本体は、湾曲しながら本体支持部に接続しているので、筒状治具の本体が本体支持部に接続している近傍には、空間が形成され、よって、その空間を利用して、より効率良く線材を巻きつけることができ、きれいな丸みが効率良く形成できる。
【００３６】
本発明によれば、さらに、線材の始端部を筒状治具の本体に巻きつける際に、始端部を係止孔に挿入することで係止でき、よって、線材をピンと張った状態で巻きつけ作業ができ、きれいな丸みやきれいなモチーフが形成できる。
【００３７】
本発明によれば、さらに、筒状の本体の先端部付近は、複数に分岐し、これら複数の先端部に、前記スリットが形成されていることで、モチーフの慣用的な一部を、あらかじめ１本の筒状治具で形成でき、複雑な形状を有するモチーフを形成しやすい。
【００３８】
本発明によれば、さらに、筒状の本体の先端部付近は、複数に分岐し、これら複数のうち一部の先端部には、前記スリットが形成され、残りの先端部は、径の異なる筒状となっていることで、モチーフの慣用的な一部を、あらかじめ１本の筒状治具で形成でき、複雑な形状を有するモチーフを形成しやすい。
【００３９】
本発明によれば、線材を筒状治具の本体に巻きつけて丸めた部分を形成する際に、２つの先端部が互いに反対方向に向かって向いているので、筒状治具を向かって左右対称の位置に設置することができ、よって、作業者は、２つの先端部のうち作業しやすい側の先端部を用いて作業を効率良くすることができる。つまり、右利きの作業者であっても左利きの作業者であっても効率良く作業をすることができる。
【００４０】
本発明によれば、デザインボード治具に設けられた多数の固定穴のうち任意の複数の穴を選択することで、モチーフをデザインし、これらの穴に、筒状治具の基部を挿入し固定して、これら複数の筒状治具に線材を連続して巻きつけることで、モチーフユニットを容易に作ることができる。
【００４１】
本発明によれば、デザインボード治具に設けられた溝へ筒状治具の基部を挿入し、この挿入された基部をネジ機構によって締め付けることで、複数の筒状治具の任意の位置関係を固定することができ、これら複数の筒状治具に線材を連続して巻きつけることで、モチーフユニットを容易に作ることができる。
【００４２】
本発明によれば、複数の筒状治具に線材を連続して巻きつける場合、デザインボード治具に設けられた多数の固定穴のうち任意の複数の固定穴を選択することで、モチーフをデザインすることができる。そして、これらの固定穴の底部に筒状治具の基部の先端と同じ形状の係止する鍵穴に、筒状治具の基部の先端に形成された鍵部を挿入し固定することで、筒状治具は、固定穴から抜け出ることもなく、また、下がることもないので、きれいな丸みや、きれいなモチーフを形成できる。
【００４３】
本発明によれば、デザインボード治具に設けられた固定穴へ、筒状治具の基部に貫通穴が形成された基部を挿入し、この挿入された基部の貫通穴を、固定穴における軸方向の位置及び回転方向の位置を固定するネジ機構により締め付けることができる。これにより、複数の筒状治具の任意の位置関係を固定することができ、筒状治具の基部の貫通穴を締め付けることで、堅固に筒状治具を組み込むことができる。したがって、これら複数の筒状治具に線材を連続して巻きつけることで、ビーズユニット、モチーフユニットを容易に作ることができる。
【００４４】
本発明によれば、デザインボード治具の固定穴は２つの筒状治具を挿入するために、２つのグループに分かれている。したがって、２つの筒状治具をセットで、筒状治具の本体と筒状治具の本体の間で線材を巻きつける場合、１つ目の筒状治具を、一方のグループのデザインボード治具の固定穴を選んだ場合は、２つ目の筒状治具は、他方のグループの同じ位置の固定穴を選ぶことにより、筒状治具の本体と筒状治具の本体の間で、線材の巻きつける間隔が決まるので、２つの筒状治具を挿入するデザインボード治具の、固定穴を適切に選択することができ、線材の太さ、デザインに合ったモチーフユニットを容易に作ることができる。
【００４５】
本発明によれば、デザインボード治具の固定穴からデザインボード治具の固定穴は、所定の間隔であいている。したがって、２つの筒状治具をセットで、筒状治具の本体と筒状治具の本体の間で線材を巻きつける場合、線材の太さによって、又はデザインによって、筒状治具の本体と筒状治具の本体の間で線材を巻きつける間隔が変わった場合であっても、筒状治具の本体と筒状治具の本体の間で線材を巻きつける間隔を、正確に巻きつけることができるので、容易にモチーフユニットを効率良く作ることができる。
【００４６】
本発明によれば、さらに、デザインボード治具の固定穴や溝に、補助筒状治具を固定し、この補助筒状治具の先端の形状で、線材を補助的に支持することができるので、モチーフユニットをさらに容易に作ることができる。
【００４７】
本発明によれば、筒状治具と、デザインボード治具と、デザインボード治具を取り外し可能に保持するクランプ機構を有する治具台と、をセットで備えることによって、デザインボード治具を取り換えることで、デザインボード治具に合わせたモチーフを作成することができる。これにより、デザインの幅がふえ、また一本で使う筒状治具も、デザインボード治具を使わないで手軽にクランプ機構で固定できるので、ビーズユニット、モチーフユニットをさらに容易に作ることができる。
【００４８】
本発明によれば、筒状治具と、デザインボード治具を取り外し可能に保持するクランプ機構を有する治具台に、筒状治具の基部を挿入し固定するための多数の固定穴を有するクランプ機構を備えた治具セットを備えることによって、固定穴に挿入する筒状治具により、ビーズ、変形石などを把持することができるので、筒状治具と連動してモチーフユニットを容易に作ることができる。また固定穴には、デザインボード治具を使わないで筒状の治具を固定してモチーフを作成したり、筒状の治具を組み合わせて使うこともできるので、デザインボード治具の代わりとして、モチーフユニットをさらに容易に作ることができる。
【００４９】
本発明によれば、一番使用頻度の高い１本で使用する筒状治具を、デザインボード治具を用いないで、簡単に市販のバイスに固定できるバイスアタッチメントを備えることにより、バイスの口金部の角度調節ができないタイプの市販のバイスでも、１本で使用する筒状治具を単独で固定することができる。これにより、専用のクランプ機構を備える必要がないので、ビーズユニット、モチーフユニットを容易に作ることができる。
【００５０】
本発明によれば、テーブルのような固定台に着脱する着脱機構を備える装飾品製作用の治具セットを備えることにより、筒状の治具でつくられるビーズジュエリー、ワイヤージュエリーを一箇所で作業することだけでなく、ジュエリー教室などで使用することができ、持ち運びに便利である。これら筒状治具、デザインボード治具はすべてしっかりと固定することが前提であり、固定することにより、筒状治具を両手で使うことができる。したがって、テーブルのような固定台がある場所であれば、ビーズユニット、モチーフユニットを、どこでも容易に効率良く作ることができる。
【図面の簡単な説明】
【００５１】
【図１】この発明の一実施形態を示すデザインボード治具を、作業台などへの取付機構とともに表す斜視図である。
【図２】図１のデザインボード治具をより上方から見た斜視図である。
【図３Ａ】図２のデザインボード治具に固定されて用いられるいろいろの筒状治具を示す斜視図である。
【図３Ｂ】図２のデザインボード治具に固定されて用いられるいろいろの筒状治具を示す斜視図である。
【図３Ｃ】図２のデザインボード治具に固定されて用いられるいろいろの筒状治具を示す斜視図である。
【図３Ｄ】図２のデザインボード治具に固定されて用いられるいろいろの筒状治具を示す斜視図である。
【図３Ｅ】図２のデザインボード治具に固定されて用いられるいろいろの筒状治具を示す斜視図である。
【図３Ｆ】図２のデザインボード治具に固定されて用いられるいろいろの筒状治具を示す斜視図である。
【図４】図２のデザインボード治具に固定されて用いられている筒状治具の例を示す斜視図である。
【図５】図４のデザインボード治具の溝に筒状治具を固定するネジ機構を示す斜視図である。
【図６Ａ】第一作業例を示すもので、図３Ａの筒状治具をデザインボード治具に固定して装飾品を製作する状態を示す斜視図である。
【図６Ｂ】第一作業例を示すもので、図６Ａの製作に用いられるビーズの図である。
【図６Ｃ】第一作業例を示すもので、図６Ａの製作に用いられる丸カンの図である。
【図６Ｄ】第一作業例を示すもので、図６Ａの製作により得られる装飾品の図である。
【図７Ａ】第一作業例の手順を示す図である。
【図７Ｂ】図７Ａに続く第一作業例の手順を示す図である。
【図７Ｃ】図７Ｂを別の角度から見た図である。
【図７Ｄ】図７Ｃに続く第一作業例の手順を示す図である。
【図７Ｅ】図７Ｄに続く第一作業例の手順を示す図である。
【図７Ｆ】図７Ｅに続く第一作業例の手順を示す図である。
【図７Ｇ】図７Ｆに続く第一作業例の手順を示す図である。
【図７Ｈ】図７Ｇを別の角度から見た図である。
【図７Ｉ】図７Ｈに続く第一作業例の手順を示す図である。
【図７Ｊ】図７Ｉに続く第一作業例の手順を示す図である。
【図８Ｋ】図７Ｊに続く第一作業例の手順を示す図である。
【図８Ｌ】図７Ｋに続く第一作業例の手順を示す図である。
【図８Ｍ】図７Ｌを別の角度から見た図である。
【図８Ｎ】図７Ｍに続く第一作業例の手順を示す図である。
【図８Ｏ】図７Ｎに続く第一作業例の手順を示す図である。
【図９Ａ】第二作業例を示すもので、図３Ｂの筒状治具をデザインボード治具に固定して装飾品を製作する状態を示す斜視図である。
【図９Ｂ】第二作業例を示すもので、図９Ａの製作に用いられるビーズの図である。
【図９Ｃ】第二作業例を示すもので、図９Ａの製作に用いられる丸カンの図である。
【図９Ｄ】第二作業例を示すもので、図９Ａの製作により得られるビーズユニットの図である。
【図１０Ａ】第二作業例の手順を示す図である。
【図１０Ｂ】図１０Ａに続く第二作業例の手順を示す図である。
【図１０Ｃ】図１０Ｂに続く第二作業例の手順を示す図である。
【図１０Ｄ】図１０Ｃを別の角度から見た図である。
【図１０Ｅ】図１０Ｄに続く第二作業例の手順を示す図である。
【図１０Ｅ２】図１０Ｅに続く第二作業例の手順を示す図である。
【図１０Ｅ３】図１０Ｅ２を別の角度から見た図である。
【図１０Ｅ４】図１０Ｅ３に続く第二作業例の手順を示す図である。
【図１０Ｅ５】図１０Ｅ４を別の角度から見た図である。
【図１０Ｆ】図１０Ｅを別の角度から見た図である。
【図１１Ｇ】図１０Ｆに続く第二作業例の手順を示す図である。
【図１１Ｈ】図１１Ｇを別の角度から見た図である。
【図１１Ｉ】図１１Ｈに続く第二作業例の手順を示す図である。
【図１１Ｊ】図１１Ｉに続く第二作業例の手順を示す図である。
【図１１Ｋ】図１１Ｊに続く第二作業例の手順を示す図である。
【図１２Ａ】第三作業例を示すもので、図３Ｃの筒状治具をデザインボード治具に固定して装飾品を製作する状態を示す斜視図である。
【図１２Ｂ】第三作業例を示すもので、図１２Ａの製作に用いられるビーズユニットの図である。
【図１２Ｃ】第三作業例を示すもので、図１２Ａの製作に用いられるモチーフの図である。
【図１２Ｄ】第三作業例を示すもので、図１２Ａの製作に用いられるイヤーフックと呼ばれる金具の図である。
【図１２Ｅ】第三作業例を示すもので、図１２Ａの製作により得られる装飾品であるイヤリングの図である。
【図１３Ａ】第三作業例の手順を示す図である。
【図１３Ｂ】図１３Ａに続く第三作業例の手順を示す図である。
【図１３Ｃ】図１３Ｂに続く第三作業例の手順を示す図である。
【図１３Ｄ】図１３Ｃを別の角度から見た図である。
【図１３Ｅ】図１３Ｄに続く第三作業例の手順を示す図である。
【図１３Ｆ】図１３Ｅに続く第三作業例の手順を示す図である。
【図１３Ｇ】図１３Ｆを別の角度から見た図である。
【図１３Ｈ】図１３Ｇに続く第三作業例の手順を示す図である。
【図１３Ｉ】図１３Ｈに続く第三作業例の手順を示す図である。
【図１３Ｊ】図１３Ｉに続く第三作業例の手順を示す図である。
【図１３Ｋ】図１３Ｊに続く第三作業例の手順を示す図である。
【図１４Ａ】第四作業例を示すもので、図３Ｄの筒状治具をデザインボード治具に固定して装飾品を製作する状態を示す斜視図である。
【図１４Ｂ】第四作業例を示すもので、図１４Ａの製作に用いられる留め具の図である。
【図１４Ｃ】第四作業例を示すもので、図１４Ａの製作に用いられる図７Ｊに示すビーズユニットの図である。
【図１４Ｄ】第四作業例を示すもので、図１４Ａの製作により得られる装飾品の図である。
【図１５Ａ】第四作業例の手順を示す図である。
【図１５Ｂ】図１５Ａに続く第四作業例の手順を示す図である。
【図１５Ｃ】図１５Ｂを別の角度から見た図である。
【図１５Ｄ】図１５Ｃに続く第四作業例の手順を示す図である。
【図１６Ｅ】図１５Ｄに続く第四作業例の手順を示す図である。
【図１６Ｆ】図１６Ｅに続く第四作業例の手順を示す図である。
【図１６Ｇ】図１６Ｆを別の角度から見た図である。
【図１６Ｈ】図１６Ｇに続く第四作業例の手順を示す図である。
【図１６Ｉ】図１６Ｈに続く第四作業例の手順を示す図である。
【図１６Ｊ】図１６Ｉを別の角度から見た図である。
【図１６Ｋ】図１６Ｊに続く第四作業例の手順を示す図である。
【図１７Ａ】第五作業例を示すもので、図３Ｅの筒状治具をデザインボード治具に固定して装飾品を製作する状態を示す斜視図である。
【図１７Ｂ】第五作業例を示すもので、図１７Ａの製作に用いられるビーズユニットの図である。
【図１７Ｃ】第五作業例を示すもので、図１７Ａの製作に用いられる丸カンの図である。
【図１７Ｄ】第五作業例を示すもので、図１７Ａの製作により得られる装飾品の図である。
【図１８Ａ】第五作業例の手順を示す図である。
【図１８Ｂ】図１８Ａに続く第五作業例の手順を示す図である。
【図１８Ｃ】図１８Ｂを別の角度から見た図である。
【図１８Ｄ】図１８Ｃに続く第五作業例の手順を示す図である。
【図１８Ｅ】図１８Ｄに続く第五作業例の手順を示す図である。
【図１８Ｆ】図１８Ｅに続く第五作業例の手順を示す図である。
【図１８Ｇ】図１８Ｆに続く第五作業例の手順を示す図である。
【図１８Ｈ】図１８Ｇに続く第五作業例の手順を示す図である。
【図１８Ｉ】図１８Ｈに続く第五作業例の手順を示す図である。
【図１８Ｊ】図１８Ｉを別の角度から見た図である。
【図１８Ｋ】図１８Ｊに続く第五作業例の手順を示す図である。
【図１９Ｌ】図１８Ｊに続く第五作業例の手順を示す図である。
【図１９Ｍ】図１９Ｌに続く第五作業例の手順を示す図である。
【図１９Ｎ】図１９Ｍに続く第五作業例の手順を示す図である。
【図１９Ｏ】図１９Ｎに続く第五作業例の手順を示す図である。
【図１９Ｐ】第五作業例の他の変形例を示す図である。
【図２０Ａ】第六作業例を示すもので、図３Ｆの筒状治具をデザインボード治具に固定して装飾品を製作する状態を示す斜視図である。
【図２０Ｂ】第六作業例を示すもので、図２０Ａの製作に用いられるビーズの図である。
【図２０Ｃ】第六作業例を示すもので、図２０Ａの製作に用いられる丸カンの図である。
【図２０Ｄ】第六作業例を示すもので、図２０Ｄの製作により得られる装飾品の図である。
【図２１Ａ】第六作業例の手順を示す図である。
【図２１Ｂ】図２１Ａに続く第六作業例の手順を示す図である。
【図２１Ｃ】図２１Ｂに続く第六作業例の手順を示す図である。
【図２１Ｄ】図２１Ｃを別の角度から見た図である。
【図２１Ｅ】図２１Ｃをさらに別の角度から見た図である。
【図２１Ｆ】図２１Ｅに続く第六作業例の手順を示す図である。
【図２１Ｇ】図２１Ｆに続く第六作業例の手順を示す図である。
【図２２Ｈ】図２１Ｇに続く第六作業例の手順を示す図である。
【図２２Ｉ】図２２Ｈに続く第六作業例の手順を示す図である。
【図２２Ｊ】図２２Ｉを別の角度から見た図である。
【図２２Ｋ】図２２Ｊに続く第六作業例の手順を示す図である。
【図２２Ｌ】図２２Ｋに続く第六作業例の手順を示す図である。
【図２２Ｍ】図２２Ｌに続く第六作業例の手順を示す図である。
【図２２Ｎ】図２２Ｍに続く第六作業例の手順を示す図である。
【図２２Ｏ】第六作業例の他の変形例を示す図である。
【図２３Ａ】この発明の別の実施形態を示すデザインボード治具を、作業台などへの取付機構とともに表す斜視図である。
【図２３Ｂ】図２３Ａのデザインボード治具を、取り外し可能にするクランプ機構を有する治具台の斜視図である。
【図２３Ｃ】図２３Ｂのクランプ機構をユニバーサルジョイントをかいして作業代などへの取付機構へ固定する接続部の正面図である。
【図２３Ｄ】図２３Ｃの接続部を固定する接続用ネジの斜視図である。
【図２３Ｅ】図２３Ｃの接続部を図２３Ｄのネジで固定した正面図である。
【図２３Ｆ】図２３Ｂの取付機構の下面の内部の斜視図である。
【図２３Ｇ】図２３Ｂの取付機構の内部の斜視図である。
【図２３Ｈ】図２３Ｂの取付機構でバキュームがかかっていない状態の取付機構内部の斜視図である。
【図２３Ｉ】図２３Ｂの取付機構でバキュームがかかった状態の取付機構内部の斜視図である。
【図２３Ｊ】図２３Ｂの取付機構の下面の背面でバキュームがかかった状態の斜視図である。
【図２４Ａ】図２３のデザインボード治具をより上方から見た斜視図である。
【図２４Ｂ】図２３のデザインボード治具とは別のデザインボードをより上方から見た斜視図である。
【図２４Ｃ】図２３のデザインボード治具とはさらに別のデザインボードをより上方から見た斜視図である。
【図２４Ｄ】図２３のデザインボード治具を保持するクランプ機構をより上方から見た斜視図である。
【図２４Ｅ】この発明のバイスアタッチメントを示す斜視図である。
【図２５Ａ】図２３のデザインボード治具に挿入される筒状治具の部分斜視図である。
【図２５Ｂ】図２５Ａの筒状治具の正面図である。
【図２５Ｃ】図２３のデザインボード治具の上面図である。
【図２５Ｄ】図２４Ｄのクランプ機構に用いる筒状治具である。
【図２５Ｅ】図２４Ｄのクランプ機構に図２５Ｄの筒状治具を用いた斜視図である。
【図２５Ｆ】図２４Ｄのクランプ機構に固定されている筒状治具を示す斜視図である。
【図２６Ａ】図２４Ｅのバイスアタッチメントが筒状治具を保持している状態を示した斜視図である。
【図２６Ｂ】図２６Ａの筒状治具を別の方向に向けて、バイスアタッチメントを別の方向から見た状態を示した斜視図である。
【図２７Ａ】図２６Ａの筒状治具の斜視図である。
【図２７Ｂ】図２７Ａとは別の筒状治具の斜視図である。
【図２７Ｃ】図２７Ｂとは別の筒状治具の斜視図である。
【図２７Ｄ】図２７Ｃとは別の筒状治具の斜視図である。
【図２７Ｅ】図２７Ｄとは別の筒状治具の斜視図である。
【図２７Ｆ】図２７Ｅとは別の筒状治具の斜視図である。
【図２８Ａ】図２５Ａの筒状治具の基部の拡大斜視図である。
【図２８Ｂ】図２８Ａの筒状治具の基部の別の方向の拡大斜視図である。
【図２８Ｃ】図２７Ｃの筒状治具の基部の拡大斜視図である。
【図２８Ｄ】図２８Ｃの筒状治具の鍵部が係止する鍵穴の拡大図である。
【図２９Ａ】図２４Ａのデザインボード治具に固定されている筒状治具を示す斜視図である。
【図２９Ｂ】図２４Ｂのデザインボード治具に固定されている筒状治具を示す斜視図である。
【図２９Ｃ】図２４Ｃのデザインボード治具に固定されている筒状治具を示す斜視図である。
【図３０Ａ】図２４Ａのデザインボード治具のサイド穴に、筒状治具を固定するネジ機構を示す正面図である。
【図３０Ｂ】図２４Ａのデザインボード治具のサイド穴に、筒状治具を固定するネジ機構を示す斜視図である。
【図３０Ｃ】図２４Ｂ、図２４Ｃのデザインボード治具の固定穴に、筒状治具を固定する鍵穴を示す上面図である。
【図３０Ｄ】図２４Ｂ、図２４Ｃのデザインボード治具の固定穴に、筒状治具を固定する鍵穴に筒状治具の鍵部を固定した背面図である。
【図３０Ｅ】図２４Ｄのクランプ機構に固定されている筒状治具を示す斜視図である。
【図３０Ｆ】図２４Ｅのバイスアタッチメントに固定されている筒状治具を示す斜視図である。
【図３１】図２７Ａの筒状治具をデザインボード治具へ固定した斜視図である。
【図３２Ａ】作業例の手順を示す図である。
【図３２Ｂ】図３２Ａに続く作業例の手順を示す図である。
【図３２Ｃ】図３２Ｂを別の角度から見た図である。
【図３２Ｄ】図３２Ｃに続く作業例の手順を示す図である。
【図３２Ｅ】図３２Ｄに続く作業例の手順を示す図である。
【図３２Ｆ】図３２Ｅに続く作業例の手順を示す図である。
【図３２Ｇ】図３２Ｆに続く作業例の手順を示す図である。
【図３２Ｈ】図３２Ｇを別の角度から見た図である。
【図３２Ｉ】図３２Ｈに続く作業例の手順を示す図である。
【図３２Ｊ】図３２Ｉに続く作業例の手順を示す図である。
【図３２Ｋ】図３２Ｊに続く作業例の手順を示す図である。
【図３２Ｌ】図３２Ｋに続く作業例の手順を示す図である。
【図３２Ｍ】図３２Ｌに続く作業例の手順を示す図である。
【図３２Ｎ】図３２Ｍに続く作業例の手順を示す図である。
【図３２Ｏ】図３２Ｎに続く作業例の手順を示す図である。
【図３２Ｐ】図３２Ｇに続く別の作業例の手順を示す図である。
【図３３】図２７Ｂの筒状治具をデザインボード治具へ固定した斜視図である。
【図３４】図２７Ｃの筒状治具をデザインボード治具へ固定した斜視図である。
【図３５】図２７Ｄの筒状治具をデザインボード治具へ固定した斜視図である。
【図３６】図２７Ｅの筒状治具をデザインボード治具へ固定した斜視図である。
【図３７】図２７Ｆの筒状治具をデザインボード治具へ固定した斜視図である。
【図３８】別の筒状治具の斜視図である。
【図３９】図３８に示す筒状治具の正面図である。
【図４０】図３８に示す筒状治具の作業例を示す正面図である。
【発明を実施するための形態】
【００５２】
この発明の第１実施形態を、図１から図２２に示す。
【００５３】
［全体概略］
ビーズ１（図６Ｂ、図９Ｂなど）に貫通などした金属製の線材であるワイヤー３（図７Ｆ、図１０Ａ）やピンにより、ビーズ１と線材の固定が行われる（図７Ｇから図７Ｉ、図１０Ｂから図１１Ｊなど）。その線材の丸めた部分に丸カン５（図６Ｃ、図９Ｃなど）を通してビーズユニット７（図７Ｊ、図１１Ｋなど）を作る。その際に、筒状治具６（図３Ａから図３Ｆ）を用いる。この１個のビーズユニット７を用いて（図１２Ｅ）、又は丸カン５を共有することで複数のビーズユニット７を連ねたもの（図６Ｄなど）を用いて、装飾品９（図６Ｄは完成品の一部を示す）を製作する。
【００５４】
また、複数の筒状治具６（図３Ａから図３Ｆ）をデザインボード治具１１（図１、図２）に固定し、ワイヤー３やピンなどの線材を連続して巻きつけることで、モチーフ１３と呼ばれる抽象的形状（図１２Ｃ、図２１Ｇ）や花びらなどの具体的形状などをデザインする。その際に、モチーフ１３の丸めた部分に丸カン５を通して（図１３Ｂ、図１３Ｅなど）モチーフユニット１５を作り、この丸カン５をモチーフユニット間で共有することで、複数のビーズユニット及びモチーフユニット１５を連ねた装飾品９（図６Ｄ、図１７Ｄ、図２０Ｄなど（これらの図は完成品の一部を示す））を製作する。
【００５５】
［デザインボード治具１１］
このうち図１は、この発明の一実施形態を示すデザインボード治具１１を、作業台などへ取付けるための取付機構３３とともに表す。図２は、図１のデザインボード治具１１をより上方から見た斜視図である。このデザインボード治具１１には、後述する図３Ａから図３Ｆの筒状治具６を、単独で、あるいは複数隣接して固定する。
【００５６】
デザインボード治具１１の表面には、複数の筒状治具６の基部を挿入し固定するための多数の固定穴１７群を有する。筒状治具６は、筒の径が太いもの（図３Ａ、図３Ｂ、図３Ｄから図３Ｆ）と細いもの（図３Ｃ）があり、固定穴群も２つのグループに分かれている。
【００５７】
デザインボード治具１１の表面の左右サイドには、図２に示すように、筒状治具６の基部を挿入するための溝１９が合計２条形成される。この挿入された基部を締め付けることで溝１９における長手方向の位置を固定するネジ機構２１が設けられる。ネジ機構２１は、デザインボード治具１１の表面の側面に、溝１９に沿ってスリット窓２３が設けられ、スリット窓２３にネジ軸２５が通される。ネジ軸２５には雄ネジが形成され、図示しないスペーサーの雌ネジと螺合する。スペーサーは、溝１９の中に保持される。
【００５８】
スリット窓２３の外に位置するネジの頭２７を回転すると、スペーサーはネジの頭２７の方へ、つまり手前へ移動する。よって、スペーサーと手前の溝内壁の間に、筒状治具６の基部を挟んで固定できる。ネジの頭２７を反対に回転して、ネジを緩めれば、ネジやスペーサーは、スリット窓２３に沿って、すなわち溝１９に沿って、長手方向へ移動でき、したがって、長手方向の筒状治具６の位置を任意に選択できる。
【００５９】
なお、ネジ機構２１は、以上のように移動式であっても良いが、スペーサーを溝１９の中で長く形成させれば、静止した一組のネジとスペーサーによって、複数の筒状治具６を同時に固定する静止式とすることも可である。
【００６０】
デザインボード治具１１の表面の四辺の縁には、目盛り２９が形成され、固体された複数の筒状治具６の間隔を計測するのに便利である。例えば、後述する第四作業例（図１４Ａから図１４Ｄ、図１５Ａから図１５Ｄ、図１６Ｅから図１６Ｋ）などのｗ留め、又は筒状治具６を２本セットで使う場合で、ワイヤーなどの線材を巻きつける間隔を調節する場合、線材の太さによって、２本の筒状治具６の先端で形成される間隔の幅が変わるので、その間隔を計測するのに便利である。
【００６１】
デザインボード治具１１の下面には、十分な摩擦のあるユニバーサルジョイント３１を介して、取付機構３３が設けられる。取付機構３３は、コの字状の部分３５に、作業台の板の端部を挟み、コの字の下辺３７に設けられたネジ３４を、ハンドル３６で回すことにより、ネジ３４の先端が作業台の板の下面を押圧し、よって作業台の板を、ネジ３４の先端とコの字状の部分３５の上辺との間に挟んで、取り付けを行う。
【００６２】
［筒状治具６］
図３Ａ、図３Ｂ、図３Ｃ、図３Ｄ、図３Ｅ、図３Ｆは、図２のデザインボード治具１１に固定されて用いられるいろいろの筒状治具６を示す斜視図である。
【００６３】
これらの筒状治具６は、ワイヤーなどの金属製の線材を任意の形状に屈曲し、あるいは丸める作業を行うためのものである。また、丸めた部分に丸カン５を通してビーズユニット７を作る。そして、この１個のビーズユニット７を用いて、又は丸カン５を共有することで複数のビーズユニット７を連ねたものを用いて、装飾品９を製作する。
【００６４】
あるいは、線材を屈曲してモチーフ１３を形成する作業を行うためのものである。このモチーフ１３の丸めた部分に、丸カン５を通してモチーフユニット１５を作る。そして、丸カン５を共有することで複数のビーズユニット及び／又はモチーフユニット１５を連ねたものを用いて、装飾品９を製作する。
【００６５】
線材を巻きつけるための筒状の本体３９の開放された先端部には、長手方向へスリット４１が形成される。このスリット４１へ丸カン５を挿入できるので、丸カン５が筒状治具６の本体３９に干渉せず、よって、きれいな丸みやモチーフ１３が形成できる。
【００６６】
図３Ａの筒状治具６には、さらに、先端付近が９０度屈曲して、逆Ｌ字状になっており、スリット４１は片側面だけに形成される。
【００６７】
図３Ｂの筒状治具６は、２本セットで使用される。筒状治具６、補助筒状治具４３とも先端付近がクランク状に屈曲し、隣接させたときに、先端同士が接近しやすい。図３Ｂの右側の筒状治具６は、スリット４１が両側面に形成される。図３Ｂの左側の筒状治具６は、線材を補助的に支持するためのＵ字状の形状を先端に形成した補助筒状治具４３として、使用される。スリット４１は形成されない。デザインボード治具１１の固定穴１７や溝１９に、この補助筒状治具４３を固定し、この補助筒状治具４３の先端の形状で、線材を補助的に支持することができるので、ビーズユニット７をさらに容易に作ることができる。
【００６８】
図３Ｃ、図３Ｄの筒状治具６には、さらに、線材の始端部４５を挿入して係止するための係止孔４７が設けられている（図１３Ａ参照）。よって、線材をピンと張った状態で巻きつけ作業ができ、きれいな丸みやきれいなモチーフ１３が形成できる。図３Ｃの筒状治具６には、スリット４１は片側面に形成される。
【００６９】
図３Ｄの筒状治具６は、２本セットで使用される。図３Ｄの右側の筒状治具６は、スリット４１が両側面に形成される。図３Ｄの左側の筒状治具６は、スリット４１が片側面に形成される。
【００７０】
図３Ｅ、図３Ｆの筒状治具６は、さらに、先端部付近が、４つあるいは６つに分岐し、これら複数の先端部４９に、スリット４１が形成されている。よって、モチーフ１３の慣用的な一部を、あらかじめ１本の筒状治具６で形成でき、複雑な形状を有するモチーフ１３を形成しやすい。
【００７１】
図３Ｅの筒状治具６は２本セットで使用される。各筒状治具６の４つの分岐した先端部４９には、それぞれ片側面にスリット４１が形成される。これらのスリット４１は、４つの先端部４９が集合した中心から見て、外側に形成される。うち１本の各筒状治具６は、４つの分岐した先端部４９のうち１つに、片側面のスリット４１と反対の側面にも別のスリット４１が形成され、結局、スリット４１は両側面に形成される。
【００７２】
図３Ｆの筒状治具６は、さらに、筒状の本体３９の先端部４９付近が、６つに分岐し、これら複数のうち４つの先端部４９には、スリット４１が形成され、残りの２つの先端部４９は、径の異なる筒状となり、線材を連続して巻きつけることで、慣用的な形状のモチーフ１３が、あらかじめ１本の筒状治具６で形成でき、容易にデザインされる。筒状治具６の分岐したうちの４つの先端部４９には、それぞれ片側面にスリット４１が形成される。これらのスリット４１は、４つの先端部４９が集合した中心から見て、外側に形成される。うち１つの先端部４９に、片側面のスリット４１と反対の側面にも別のスリット４１が形成され、結局、スリット４１は両側面に形成される。
【００７３】
これらはモチーフ１３の形態により決定される。  
図４は、図２のデザインボード治具１１に固定されて用いられている筒状治具６の例を示す斜視図である。
【００７４】
このデザインボード治具１１は、筒状治具６を数本一度に差し込んで固定できるので、いつも使うサイズ、デザインの筒状治具６は、そのまま交換しないで使うことができる。例えば、ペンダントをつくるばあいには、図３Ａの筒状治具６で、ビーズを入れためがね留めのチェーンをつくり、留め具は図３Ｄの筒状治具６でｗ留めをし、中央のペンダントヘッドは図３Ｂの筒状治具６でチャーム留めで作る。これらの筒状治具６はいつも使うので、デザインボード治具１１の使いやすい箇所にすべてセットしておくことができる。
【００７５】
［第一作業例］
図６Ａは、第一作業例を示すもので、図３Ａの１本の筒状治具６をデザインボード治具１１に固定して装飾品９を製作する状態を示す斜視図、図６Ｂは、図６Ａの製作に用いられる球形のビーズ１の図、図６Ｃは、図６Ａの製作に用いられる丸カン５の図、図６Ｄは、図６Ａ製作により得られる装飾品９の図である。
【００７６】
この例においてビーズ１を線材で固定する方法は、めがね留めと呼ばれるもので、ワイヤー３又はピンなどの線材を、ビーズ１の貫通孔１Ａに貫通させ、端をめがねのように丸めて輪にし、その輪の部分の根元で、線材を２回から３回ぐるぐるっと巻いて仕上げる留め方である（図７Ｃから図７Ｉ）。
【００７７】
図７Ａから図７Ｊ、図８Ｋから図８Ｏは第一作業例の手順を示す図である。
まず、必要な長さの線材であるワイヤー３を丸カン５に通し（図７Ａ）、丸カン５を筒状治具６のスリット４１にいれたまま、ワイヤー３の先を筒状治具６にかけて輪をつくり、さらにワイヤー３を９０度位にする（図７Ｂ、図７Ｃ）。そして、そのままワイヤー３を輪の根元に２回から３回巻きつける（図７Ｄ）。本実施形態によれば、輪を作る、巻きつけるが、一連の動作でできる。あまったワイヤー３を切る（図７Ｅ）。
【００７８】
次に、この出来上がったパーツを下にして、ビーズ１と丸カン５を通す（図７Ｆ）。そして、丸カン５を筒状治具６のスリット４１にいれたままワイヤー３の先を筒状治具６にかけて、巻きつける部分をのこして輪をつくり、ワイヤー３を９０度位にする（図７Ｇ、図７Ｈ）。そして、そのままワイヤー３を輪の根元に２回から３回巻きつける（図７Ｉ）。本実施形態によれば、輪を作る、巻きつけるが、一連の動作でできる。あまったワイヤー３を切る（図７Ｊ）。このようにして、ビーズユニット７ができる。
【００７９】
さらに、このビーズユニット７の丸カン５の部分に、ワイヤー３を通す（図８Ｋ）。そして、丸カン５を筒状治具６のスリット４１にいれたまま、ワイヤー３を筒状治具６にかけて輪をつくり、ワイヤー３を９０度位にする（図８Ｌ、図８Ｍ）。そして、そのままワイヤー３を輪の根元に２回から３回巻きつける（図８Ｎ）。あまったワイヤー３を切る（図８Ｏ）。このあとは（図７Ｆ）のビーズ１と丸カン５を通す手順から繰り返す。これにより、図６Ｄの装飾品９が製作される。
【００８０】
［第二作業例］
図９Ａから図９Ｄは、第二作業例を示すもので、図９Ａは、図３Ｂの筒状治具６をデザインボード治具１１に固定して装飾品９を製作する状態を示す斜視図、図９Ｂは、図９Ａの製作に用いられるビーズ１の図、図９Ｃは、図９Ａの製作に用いられる丸カン５の図、図９Ｄは、図９Ａの製作により得られるビーズユニット７の図である。
【００８１】
この例においても、ビーズ１を線材で固定する方法は、前述しためがね留めと呼ばれるものの一種であるが、ビーズ１をチャームのようにぶら下げるのでチャーム留めとも呼ばれる。この留め方はドロップビーズ、しずく型のビーズのように横に貫通孔が開いているビーズを留める方法である。
【００８２】
準備として、図９Ａのデザインボード治具１１に、図３Ｂの筒状治具６をネジ機構２１で固定する。図３Ｂのうち左側の筒状治具６は、線材を補助的に支持するためのＵ字状の形状を先端に形成した補助筒状治具４３として、使用される。このとき、これら２本の筒状治具６の先端で形成される間隔の幅は、ワイヤー３の太さにあわせて調節し変えなければならない。そのため、ネジ機構２１を、ネジを緩めて溝１９に沿って移動し、筒状治具６の位置を選択する。
【００８３】
図１０Ａから図１０Ｆ、図１１Ｇから図１１Ｋは第二作業例の手順を示す図である。
【００８４】
まずワイヤー３にビーズ１を通す（図１０Ａ）。そして、通したワイヤー３の両端を、ビーズ１に沿わせて手で押さえる（図１０Ｂ）。そのまま、隣接させて固定した２本の筒状治具６にワイヤー３を支持させる（図１０Ｃ、図１０Ｄ）。すなわちワイヤー３の短い部分３Ａを、補助筒状治具４３のＵ字状の形状の部分と、両スリットとに、直線的に通す。ワイヤー３の長い部分３Ｂを、Ｕ字状の形状の部分に入れ、９０度に曲げて両筒状治具６の間から外へ露出させる。この露出するワイヤー３の部分３Ｂに、丸カン５を通す。
【００８５】
次に、丸カン５を入れたワイヤー３を筒状治具６に巻き、丸カン５をスリット４１にいれたまま、さらに、巻いて丸め、再び両筒状治具６の間に入れる（図１０Ｅ、図１０Ｆ）。このとき、補助筒状治具４３があるとワイヤー３を巻きつけることができないので、補助筒状治具４３の先端部分４４を下に下げる。
【００８６】
この下に下げる機構を、補助筒状治具４３は有する。すなわち、補助筒状治具４３の先端部分４４のクランク状の基部４３ａは、筒状のベース部４３ｂの内部に収納され（図１０Ｅ２、図１０Ｅ３）、上下にスライド可能で、スプリング４３ｃにより上方に付勢されている。基部４３ａには、他のスプリング４３ｄによって横方向外側へ付勢される突起４３ｅが設けられ、通常はこの突起が筒状のベース部４３ｂの窓に嵌入して、上下のスライドをロックしている。窓に嵌入し外部に露出している突起４３ｅを、窓の中に押し込みながら、先端部分４４を下に押すと下がる（図１０Ｅ４、図１０Ｅ５）が、押すことを止めると、先端部分は再び上昇し、再び、突起４３ｅが、ベース部４３ｂの窓に嵌入しロックがされる。
【００８７】
そして、補助筒状治具４３の先端部分を下に下げたままワイヤー３を２回から３回巻きつける（図１１Ｇ、図１１Ｈ）。そして、製作途中の装飾品９を筒状治具６から外し（図１１Ｉ）、補助筒状治具４３のＵ字状の形状の部分にいれておいたワイヤー３の部分３Ａを、９０度にまげる（図１１Ｊ）。あまったワイヤー３を切って完成する（図１１Ｋ）。
【００８８】
［第三作業例］
図１２Ａから図１２Ｅは第三作業例を示すもので、図１２Ａは、図３Ｃの筒状治具６をデザインボード治具１１に固定して装飾品９を製作する状態を示す斜視図、図１２Ｂは、図１２Ａの製作に用いられるビーズユニットの図、図１２Ｃは、図１２Ａの製作に用いられるモチーフ１３の図、図１２Ｄは、図１２Ａの製作に用いられるイヤーフックと呼ばれる金具の図、図１２Ｅは、図１２Ａの製作により得られる装飾品９であるイヤリングの図である。
【００８９】
この例は、モチーフ１３を作りながら、他のビーズユニット７をつなぐ例である。この例の特徴は、シンプルな形状の同じ筒状治具６を数本隣接して固定しモチーフ１３を作る点であり、筒状治具６を分割する（図３Ｅ、図３Ｆ）ものでなく、よって、ワイヤー３を、筒状治具６の先端部４９で形成されつつあるモチーフ１３の下を通したり上を通したりして、自在にかけられることになる。このため、同じ配置の筒状治具６で数パターンのモチーフ１３をつくることができる。
【００９０】
準備として、図１２Ａのデザインボード治具１１の固定穴１７に、図３Ｃの筒状治具６を４本さしこむ。この筒状治具６には、ワイヤー３の始端部４５を挿入して係止するための係止孔４７が設けられている。
【００９１】
図１３Ａから図１３Ｋは第三作業例の手順を示す図である。
４本のうち図中上側の１本の筒状治具６の係止孔４７に、ワイヤー３の始端部４５を挿入し、そのワイヤー３を反時計回りに隣接する２つ目の筒状治具６に巻き、３つ目の筒状治具６の右横に出す（図１３Ａ）。出したワイヤー３の他端部に、第二作業例で製作したビーズユニット７の丸カン５を通す（図１３Ｂ）。さらに、ワイヤー３を３つ目の筒状治具６に巻く。このとき、丸カン５は３つ目の筒状治具６のスリット４１に挿入する。そして、ワイヤー３を４つ目の筒状治具６に巻き、はじめの筒状治具６の左横に出す（図１３Ｃ、図１３Ｄ）。
【００９２】
出したワイヤー３の他端部に、イヤーフックと呼ばれる金具の丸カン５を通す（図１３Ｅ）。この丸カン５をはじめの筒状治具６のスリット４１に挿入したまま、はじめの筒状治具６に巻き、四葉のようなモチーフ１３の概略が形成される。さらに、モチーフが崩れないように、またワイヤー３の端の処理をするために、このモチーフ１３の中心の下を通して、２つ目と３つ目の筒状治具６の間から外に出す（図１３Ｆ、図１３Ｇ）。出したワイヤー３を、モチーフ１３の上で右に倒す（図１３Ｈ）。又はじめに筒状治具６の係止孔４７に挿入していたワイヤー３の始端部４５を、外し、モチーフ１３の下から出して、上で左に倒す（図１３Ｉ）。あまったワイヤー３を切って完成する（図１３Ｊ、図１３Ｋ）。
【００９３】
［第四作業例］
図１４Ａから図１４Ｄは、第四作業例を示すもので、図１４Ａは、図３Ｄの筒状治具６をデザインボード治具１１に固定して装飾品９を製作する状態を示す斜視図、図１４Ｂは、図１４Ａの製作に用いられるマンテルと呼ばれる留め具の図、図１４Ｃは、図１４Ａの製作に用いられる図７Ｊに示すビーズユニットの図、図１４Ｄは、図１４Ａの製作により得られる装飾品９（図１４Ｄは完成品の一部を示す）の図である。
【００９４】
この例は、Ｗめがね留めと呼ばれるもので、ワイヤー３は２つの輪を形成して、他のユニットの丸カン５を共有し連なる構造である。Ｗ留めの基本となるシンプルな例であり、ビーズを入れないでワイヤーだけでチェーンを作ることができる。
【００９５】
準備として、図１４Ａのデザインボード治具１１に、図３Ｄの筒状治具６をネジ機構２１で固定する。２つの筒状治具６は、所定の間隔だけあけて配置、固定される。この間隔は、ワイヤー３を巻きつけるスペースになる。
【００９６】
図１５Ａから図１５Ｄ、図１６Ｅから図１６Ｋは第四作業例の手順を示す図である。
【００９７】
まずワイヤー３を、ビーズユニット７の丸カン５へ通し、全体をＵ字状にする（図１５Ａ）。そして、その丸カン５を、一方の筒状治具の片面のスリット４１に挿入し、ワイヤー３の始端部４５を、他方の筒状治具６の両側面のスリット４１に通す。ワイヤー３の他の端部は、筒状治具６に沿わせる。（図１５Ｂ、図１５Ｃ）。
【００９８】
次に、２つの筒状治具６の間に存在する部分を平ペンチ５０で軽くはさんでワイヤー３を巻きつけやすくする（図１５Ｄ）。沿わしたワイヤー３にマンテルの丸カン５をいれる（図１６Ｅ）。
【００９９】
マンテルの丸カン５を、筒状治具６のスリット４１に挿入したまま、その筒状治具６にまき、２つの筒状治具６の間に通して丸め９０度位にする（図１６Ｆ、図１６Ｇ）。そのままワイヤー３を２回から３回巻きつける（図１６Ｈ）。そして、はじめに筒状治具６の両側面のスリット４１に通しておいたワイヤー３の始端部４５を、取り出し、９０度に曲げる（図１６Ｉ、図１６Ｊ）。余ったワイヤー３の始端部４５を切って完成する（図１６Ｋ）。
【０１００】
［第五作業例］
図１７Ａから図１７Ｄは、第五作業例を示すもので、図１７Ａは、図３Ｅの筒状治具６をデザインボード治具１１に固定して装飾品９を製作する状態を示す斜視図、図１７Ｂは、図１７Ａの製作に用いられるビーズユニットの図、図１７Ｃは、図１７Ａの製作に用いられる丸カン５の図、図１７Ｄは、図１７Ａの製作により得られる装飾品９（図は完成品の一部を示す）の図である。
【０１０１】
この例は、モチーフ１３を作りながら、Ｗ留めをする例である。モチーフ作りでは、ワイヤー３のかけ方を、上だけを通さずにワイヤー３の下をも通す。そうすることで、ワイヤー３は、モチーフ１３の中央をすべて交差するように通ることになる。交差することで、モチーフがくずれにくくできる。
【０１０２】
そして、図３Ｅ及び図１７Ａに示すように、筒状治具６は、２本セットで使用される。各筒状治具６は４つの分岐した先端部４９を有する。２本とも４つの先端部４９の配置は同じであるが、一方は、分岐が２段に行われる。すなわち、はじめに２つに分岐し、一方には１つの先端部４９が形成され、他方はさらに３つに分岐し、３つの先端部４９が形成される。いわば、１つと３つに分割した形状を有する。この分割形状により、ワイヤー３が、モチーフ１３の中央を交差する際に、上下から交差でき、交差部の厚みを薄く、コンパクトにできる。
【０１０３】
図１８Ａから図１８Ｋ、図１９Ｌから図１９Ｏは第五作業例の手順を示す図である。
【０１０４】
まず、ワイヤー３を図下の筒状治具６の中央斜めに位置させ、ビーズユニット７の丸カン５を通す（図１８Ａ）。このビーズユニットの丸カン５を、筒状治具の右の先端部４９Ａのスリット４１に挿入して、その先端部４９Ａに巻き、別の丸カン５を通す（図１８Ｂ、図１８Ｃ）。巻いたワイヤー３を筒状治具６の中央で逆斜めにクロスさせ、時計回りに２つ目の筒状の先端部４９Ｂに巻き、丸カン５をその先端部４９Ｂのスリット４１に挿入する。巻いたワイヤー３を筒状治具６の中央で逆方向から斜めにクロスさせ、３つ目の筒状の先端部４９Ｃに巻き、筒状治具６の中央で反対方向から逆斜めにクロスさせ、３つ目と４つ目の先端部４９Ｃ、４９Ｄの間から外に出す（図１８Ｄ）。
【０１０５】
次に、出したワイヤー３Ｓを、はじめのワイヤー３Ｆの下に位置させる（図１８Ｅ）。このはじめのワイヤー３Ｆを、図上の筒状治具６の下側の先端部４９Ｅに形成された両側面のスリット４１に通す。出したワイヤー３Ｓと２本一緒にし、後でワイヤー３Ｓをまきやすくするために、両筒状治具６の間に位置する部分を、平ペンチ５０でかるく押さえる（図１８Ｆ）。
【０１０６】
この出したワイヤー３Ｓは、図上の筒状治具６の下側の先端部４９Ｅ横を通って、筒状治具６の中央斜めを通り、時計回りに２つ目の筒状の先端部４９Ｆに巻き、巻いたワイヤー３Ｓを筒状治具６の中央で逆斜めにクロスさせ、３つ目の筒状の先端部４９Ｇに巻き、丸カン５を通す（図１８Ｇ）。そして、その３つ目の先端部４９Ｇのスリット４１に挿入し、さらに、ワイヤー３Ｓを筒状治具６の中央で逆方向から斜めにクロスさせ、ビーズユニット７の丸カン５を通し（図１８Ｈ）、４つ目の筒状の先端部４９Ｈに巻き、丸カン５を筒状の端部のスリット４１に挿入し、筒状治具６の中央で反対方向から逆斜めにクロスさせ、はじめと２つ目の先端部４９Ｅ、４９Ｆの間から外に出し（図１８Ｉ、図１８Ｊ）、９０度位にする。そして、そのままワイヤー３Ｓを２回から３回巻きつける（図１８Ｋ）。
【０１０７】
次に、図上の筒状治具６の下側の先端部に形成された両側面のスリット４１に通していたこのはじめのワイヤー３Ｆを（図１９Ｌ）、９０度に曲げ（図１９Ｍ）、あまったワイヤー３を切っての今回のモチーフユニット１５が完成する（図１９Ｎ）。
【０１０８】
この後は図１８Ａから図１８Ｆまでの手順を繰り返す。そして、繰り返しの図１８Ｆの手順で、出したワイヤー３を、既に完成したモチーフユニット１５の丸カン５に通す（図１９Ｏ）。通した後は、図１８Ｈからの手順を繰り返す。このようにして図１７Ｄの装飾品９（図は完成品の一部を示す）が完成する。
【０１０９】
なお、図１９Ｐは第五作業例の他の変形例を示す図である。
【０１１０】
すなわち、以上の例では、２本セットで使用される筒状治具６のうち１本は、４つの先端部４９が、いわば、１つと３つに分割した形状を有したが、他の変形例では、このような分割形状を採らないことが可能である。
【０１１１】
［第六作業例］
図２０Ａから図２０Ｄは、第六作業例を示すもので、図２０Ａは、図３Ｆの筒状治具６をデザインボード治具１１に固定して装飾品９を製作する状態を示す斜視図、図２０Ｂは、図２０Ａの製作に用いられるビーズ１の図、図２０Ｃは、図２０Ａの製作に用いられる丸カン５の図、図２０Ｄは、図２０Ａの製作により得られる装飾品９の図である。
【０１１２】
この例は、モチーフ１３を作りながらビーズ１を通してめがね留めをし、丸カン５でつなぎ、装飾品９であるチェーンを作る。この筒状治具６は、モチーフ１３をデザインどおりにするためと、めがね留めを同じ筒状治具６で作るためのものである。筒状治具６は分割している。分割することで、ワイヤー３の扱いが容易で、ワイヤー３を折り曲げずに済む。
【０１１３】
図３Ｆの筒状治具６は、さらに、先端部４９付近が、６つに分岐するが、この分岐は２段に行われる。すなわち、はじめに２つに分岐し、一方はさらに分岐して２つの先端部４９ｄ、４９ｅが形成され（図２１Ａ、図２１Ｂ、図２１Ｃ参照）、他方はさらに分岐して４つの先端部４９ａ、４９ｂ、４９ｃ、４９ｆ（図２１Ａ、図２１Ｂ、図２１Ｃ参照）が形成される。いわば、２つと４つに分割した形状を有する。分割形状にすることで、ワイヤー３の扱いが容易で、ワイヤー３を、鋭く折り曲げず傷つけることがない様にできる。
【０１１４】
これらの６つの先端部４９は、図のように左右対称に配置される。図中の上の１つ４９ａと、下の３つ４９ｃ、４９ｄ、４９ｅは、円筒状の先端部４９であり、スリット４１が形成される。残りの中央の２つ４９ｂ、４９ｆは、径の異なる大きな筒状となる。
【０１１５】
図２１Ａから図２１Ｇ、図２２Ｈから図２２Ｎは第六作業例の手順を示す図である。
【０１１６】
まずワイヤー３は、図下のはじめの先端部４９の左横から入って、反時計回りに、下右の２つ目の先端部４９ｃの上を通ってこの先端部４９ｃを巻き、その上の右の大きな３つ目の先端部４９ｂの外を巻き、図上の４つ目の先端部４９ａの下を通って外に出る（図２１Ａ）。
【０１１７】
外に出たワイヤー３に丸カン５を通し（図２１Ｂ）、４つ目の先端部４９ａを巻き、この先端部４９ａのスリット４１に丸カン５を挿入し、その下の左の大きな５つ目の先端部４９ｆの外を巻き、その下の６つ目の先端部４９ｅの下を通ってこの先端部４９ｅを巻き、はじめと２つ目の先端部４９ｄ、４９ｃの間を通って、はじめのワイヤー３Ｆに対して９０度くらいに位置させ（図２１Ｃ、図２１Ｄ、図２１Ｅ）、そのままワイヤー３を２回から３回巻きつける（図２１Ｆ）。余分なワイヤー３を切ってモチーフ１３の部分が完成する（図２１Ｇ）。筒状治具６からモチーフ１３を外す。
【０１１８】
そして、ワイヤー３の端部へビーズ１と丸カン５を通す（図２２Ｈ）。ワイヤー３の端部を処理するために、図下の先端部４９ｄのスリット４１に丸カン５を挿入したまま、巻きつける部分を残し、ワイヤー３を先端部４９ｄに巻き丸め、巻きつける部分に対して９０度位にする（図２２Ｉ、図２２Ｊ）。そのままワイヤー３を２回から３回巻きつけ（図２２Ｋ）、あまったワイヤー３を切って、今回のビーズユニット７が完成する（図２２Ｌ）。
【０１１９】
この後は、図２１Ａと同じ手順に戻り（図２２Ｍ）、図２１Ｂの手順で丸カン５の代わりに、既に完成したビーズユニット７の丸カン５を通す（図２２Ｎ）。そして、図２１Ｃからの手順を繰り返す。
【０１２０】
なお、図２２Ｏは第六作業例の他の変形例を示す図である。
【０１２１】
すなわち、以上の例では、図３Ｆの筒状治具６は、６つの先端部４９が、２段の分岐により形成され、いわば２つと４つに分割した形状を有するものであった。しかし、他の変形例では、このような分割形状を採らないことも可能である。
【０１２２】
「実施形態の効果」
この実施形態によれば、線材であるワイヤー３を筒状治具６の本体３９に巻きつけて丸めた部分を形成する際に、丸カン５をスリット４１に挿入できる（図７Ｂ、図７Ｇ、図８Ｌ、図１０Ｅ）ので、丸カン５が芯材としての筒状治具６の本体３９に干渉せず、よって、きれいな丸みが形成できる。
【０１２３】
また、線材を筒状治具６の本体３９に巻きつけてモチーフ１３を形成する際に、丸カン５をスリット４１に挿入できる（図１３Ｃ、図１３Ｆ、図１８Ｃ、図１８Ｊ、図２１Ｄ、図２２Ｉ）ので、丸カン５が芯材としての筒状治具６の本体３９に干渉せず、よって、きれいなモチーフ１３が形成できる。
【０１２４】
さらに、線材であるワイヤー３の始端部４５を筒状治具６の本体３９に巻きつける際に、始端部４５を係止孔４７に挿入することで係止でき（図１３Ａ）、よって、線材をピンと張った状態で巻きつけ作業ができ、きれいな丸みやきれいなモチーフ１３が形成できる。
【０１２５】
さらに、筒状の本体３９の先端部４９付近は、複数に分岐し、これら複数の先端部４９に、スリット４１が形成されていることで、モチーフ１３の慣用的な一部を、あらかじめ１本の筒状治具で形成でき、複雑な形状を有するモチーフ１３を形成しやすい（図１７Ｄ、図１８Ｋ）。
【０１２６】
さらに、筒状の本体３９の先端部４９付近は、複数に分岐し、これら複数のうち一部の先端部４９には、スリット４１が形成され、残りの先端部４９は、径の異なる筒状となっていることで、モチーフ１３の慣用的な一部を、あらかじめ１本の筒状治具で形成でき、複雑な形状を有するモチーフ１３を形成しやすい（図２１Ｆ）。
【０１２７】
また、デザインボード治具１１に設けられた多数の固定穴１７（図２）のうち任意の複数の穴を選択することで、モチーフ１３をデザインし、これらの穴に、筒状治具６の基部を挿入し固定して（図１２Ａ）、これら複数の筒状治具６に線材であるワイヤー３を連続して巻きつけることで、モチーフ１３を容易に作ることができる（図１３Ｉ）。
【０１２８】
また、デザインボード治具１１に設けられた溝１９へ筒状治具６の基部を挿入し、この挿入された基部をネジ機構２１によって締め付けることで、複数の筒状治具６の任意の位置関係を固定することができ（図９Ａ、図１４Ａ、図１７Ａ）、これら複数の筒状治具６に線材を連続して巻きつけることで、ビーズユニット７やモチーフユニット１５を容易に作ることができる（図１１Ｇ、図１６Ｈ、図１８Ｋ）。
【０１２９】
さらに、デザインボード治具１１の固定穴や溝１９に、補助筒状治具４３を固定し（図９Ａ、図１０Ｃ）、この補助筒状治具４３の先端の形状で、線材であるワイヤー３を補助的に支持することができる（図１０Ｃ、図１０Ｄ）ので、ビーズユニット７をさらに容易に作ることができる。
【０１３０】
「他の実施形態」
他の実施形態を、図２３から図４０に示す。第１実施形態と同じ構成は同じ符号を付してその説明を省略する。
【０１３１】
図２３Ａは、デザインボード治具６１を、作業台などへ取付けるための取付機構６３とともに表す。図２４Ａは、図２３Ａのデザインボード治具６１をより上方から見た斜視図である。このデザインボード治具６１には、後述する図２５Ａ、図２５Ｂ、図２７Ａの筒状治具６を、単独で、あるいは複数隣接して固定する。
【０１３２】
図２７Ａに示すように、筒状治具６は、図３Ａに示す筒状治具６を改良したものである。具体的には、筒状治具６は、筒状の本体３９を支持する本体支持部８１の中央付近が、奥行きを持たせるように、曲がっている。これにより、筒状の本体３９に線材を巻きつける作業者の手が本体支持部８１に当たりにくくなる。
【０１３３】
このように、筒状の本体３９を支持する本体支持部８１の中央付近が、奥行きを持たせるように曲がっている筒状治具は、図２７Ａに示す筒状治具６のほかに、図２５Ａ、図２５Ｂ、図２７Ｄ、図２７Ｅ、図３８に示す筒状治具６も挙げられる。
【０１３４】
筒状の本体３９は、本体支持部８１の先端に形成され、筒状の本体３９には、互いに反する方向に伸びる２つの先端部が形成され、開放された先端部には、長手方向へスリット４１が形成される。このように、左右対称の筒状治具６としたので、右利きの作業者も左利きの作業者も、使い勝手の良い側のスリット４１を使用することができる。
【０１３５】
筒状の本体３９の中央には、さらに、垂直方向に伸びる筒状の本体を有し、その本体にはスリット４１が形成される（図２７Ａ、図２９Ａ、図３０Ｅ、図３０Ｆ、図３１、図３２Ｂ）。この垂直方向に伸びる筒状の本体は、ビーズを入れてから線材をビーズの根元に巻きつける（図３２Ｐ）ために最適で、作業がしやすい。
【０１３６】
太径の筒状治具６の基部には、複数の貫通穴８３が形成される。貫通穴８３は、ネジ機構８５のネジ部が貫通可能な大きさに形成される（図２５Ａ、図２７Ａ、図２７Ｂ、図２７Ｄ、図２７Ｅ、図２７Ｆ、図２８Ａ、図２８Ｂ）。貫通穴８３は、筒状治具６の基部に３つ形成され、両端の貫通穴８３は、互いに平行になるように形成され、他の貫通穴８３は、筒状治具６の伸びる方向においてこれらの真ん中に位置しこれらの貫通穴８３の伸びる方向と直交する方向に形成される（図２５Ａ、図２７Ａ、図２７Ｂ、図２７Ｄ、図２７Ｅ、図２７Ｆ、図２８Ａ、図２８Ｂ）。
【０１３７】
図３０Ａ、図３０Ｂ、図３１、図３３、図３５、図３６、図３７に示すように、ネジ機構８５は、ネジ部と、ネジ部にスペーサーを介して螺合されるボルトとを備える。ネジ機構８５は、ネジ部がデザインボード治具６１の側面に設けられた貫通穴８７と、固定穴１７に挿入された筒状治具６の基部に形成された貫通穴８３とを通って、デザインボード治具６１に堅固に組み付けられる。これにより、筒状治具６の基部は、ネジ部とボルトによって両サイドから締め付けられる。
【０１３８】
図２７Ｃ、図２８Ｃに示すように、小径の筒状治具６の基部の先端には、Ｔ字形状の係止部１０１が形成される。係止部１０１は、本体支持部８１の先端に形成され、本体支持部８１より外径が小さいクビ部１０３と、クビ部１０３の先端に一体的に形成された鍵部１０５とを有する。この係止部１０１は、デザインボード治具６１の固定穴１７の底部に形成された鍵穴１０７（図２８Ｄ、図３０Ｃ）に係止する。具体的には、鍵部１０５の向きが鍵穴１０７の向きと一致するように、筒状治具６の端部を固定穴１７に挿入する。鍵部１０５が鍵穴１０７を通ったら、鍵部１０５の向きが鍵穴１０７の向きと直角の向きになるように（図３０Ｄ）、筒状治具６を約９０度回転させて、治具６を固定穴１７に固定させる。これにより、筒状治具６は、固定穴１７から抜け出ることもなく、また、下がることもない。小径の固定穴１７を有するデザインボード治具６１ａ（図２９Ｂ、図３４）、デザインボード治具６１ｂ（図２９Ｃ）も同様である。
【０１３９】
図２５Ｃに示すように、デザインボード治具６１の表面には、複数の筒状治具６の基部を挿入し固定するための多数の固定穴１７群を有する。固定穴１７群はエリアＡとエリアＢとの２つのグループにほぼ整列した状態で分かれている。本実施形態の説明のため、図２５Ｃには、エリアＡの固定穴１７群に、０から１５まで番号を付している。同様に、エリアＢの固定穴１７群に、０から１５まで番号を付している。
【０１４０】
図２５Ｃに示すデザインボード治具６１の間隔Ｙは、図２５Ｂに示す２つの筒状治具６の基部の内側の間隔ｙと同じである。デザインボード治具６１のエリアＡの１から１５までの固定穴１７と、エリアＡの１から１５までの固定穴１７に対応するエリアＢの固定穴１７との間の間隔は、ｎ  ｍｍずつ増えている。したがって、デザインボード治具６１のエリアＡの０の固定穴１７とエリアＢの０の固定穴１７に、それぞれ、２つの筒状治具６の基部を挿入すると、線材を巻きつける間隔は長さｘ（図２５Ｂ）となる。デザインボード治具６１のエリアＡの１の固定穴１７とエリアＢの１の固定穴１７に、それぞれ、２つの筒状治具６の基部を挿入すると、線材を巻きつける間隔は長さｘ＋ｎとなる。デザインボード治具６１のエリアＡの２の固定穴１７とエリアＢの２の固定穴１７に筒状治具６の基部を挿入すると線材を巻きつける間隔は長さｘ＋ｎ＋ｎとなる。
【０１４１】
このように、２つの筒状治具６をセットで使う場合、筒状治具６の基部を挿入する固定穴１７を適切に選択することにより、線材を巻きつける間隔の長さｘを正確にすることができる。
【０１４２】
デザインボード治具６１は、その下側に凸状に形成された一条の凸部６２を有し、クランプ機構７０によって組み付けられる。デザインボード治具６１は、筒状治具６の径が大きい太径専用となっているが、細径の筒状治具６を用いる場合には、図２４Ｂに示すデザインボード治具６１ａや、図２４Ｃに示すデザインボード治具６１ｂに取り換えることで、デザインボード治具に合わせたモチーフを作成することができる。
【０１４３】
図２４Ｄに示すように、クランプ機構７０は、本体部７１と、本体部７１に滑動可能に取り付けられた金属製の一対の把持部７２と、一対の把持部７２を近づけたり遠ざけたりするネジ部７３と、ネジ部７３に大きな回転トルクを発生させるハンドル部７４とを備える。ハンドル部７４をネジ部７３の周りを一方の方向に回転させると、一対の把持部７２は互いに近づき、ハンドル部７４をネジ部７３の周りを他方の方向に回転させると、一対の把持部７２は互いに離れるように移動する。これにより、一対の把持部７２の間に凸部６２を配置させて、ハンドル部７４をネジ部７３の周りを一方の方向に回転させると、一対の把持部７２は凸部６２を把持する。
【０１４４】
一対の把持部７２は、それぞれ、互いに対向する面に複数のＶ字の溝が形成され、これらの上面には、複数の固定穴７５が形成されている。この固定穴７５には、筒状治具６（図２５Ｄ）の端部を挿入し、把持部７２の上面から柱状に突出している状態に維持することができる（図２５Ｅ）。そして、対向する把持部７２に設けられた筒状治具６の間に。ビーズ、変形石などのモチーフＭを配置し、ハンドル部７４を回転させてモチーフＭを把持することができる。また固定穴７５には、筒状の治具６を固定してモチーフを作成したり、筒状の治具６を組み合わせて使うこともできる（図２５Ｆ）。
【０１４５】
図２４Ｅに示すバイスアタッチメント９１は、めがね留め用の筒状治具６（図３Ａ、図２６Ａ、図２６Ｂ、図３０Ｆ）など、１本で使用できる筒状治具６を、デザインボード治具を用いないで、簡単に市販のバイスに固定できるバイスアタッチメントである。バイスアタッチメント９１は、一対のＬ字アングルのようなフレーム本体９２を有し、その内側には、永久磁石９３が形成される。市販のバイスは、一般に、金属製であるから、永久磁石９３が市販のバイスに置くだけでくっつく。市販のバイスは、一般に、バイスの口金部の角度調節ができないタイプが多いが、口金部が横型のバイスであれば、バイスアタッチメント９１（図２６Ｂ）を用いれば筒状治具６を固定できる。また、すべての筒状治具６の基部は、一般に、円筒側面形状を有し、また、単独で使用することができるので、専用のクランプ機構７０を備える必要がない。
【０１４６】
図２３Ａ、図２３Ｂに示すように、クランプ機構７０の下面には、十分な摩擦のあるユニバーサルジョイント３１を介して、取付機構６３が設けられる。クランプ機構７０には、デザインボード冶具をチェンジできるように凹条部６２Ａが形成されており、凹条部６２Ａが凸部６２を両側から締め付ける構造を有する（図２３Ａ、図２３Ｂ）。また、一番使用されると思われるめがね留め用の筒状治具（図３Ａ、図２７Ａ）など、１本で使用できる筒状治具６を、簡単に締め付けて固定できる。
【０１４７】
取付機構６３は、クランプ機構７０の角度を自由に換える事ができるユニバーサルジョイント３１は接続部a（図２３Ｂ）によって固定される。接続部aはbの箇所のへりにｅの箇所をかぶせてfのようにdのネジを右にしめると、bはネジと一緒に下に下がり、cの部分に隙間がなくなり、ユニバーサルジョイント３１がロックされ、左にまわすと解除される（図２３Ｃ、図２３Ｄ、図２３Ｅ）。
【０１４８】
取付機構６３は、持ち運びに便利な吸盤式の構造になっており、平らなところであればどこでも固定でき、取付機構６３に取り付けられた固定レバー６５を手前に倒すと、取付機構６３の内部でバキュームが作用し下面６４がテーブルなどに密着する（図２３Ｈ、図２３Ｉ、図２３Ｊ）。取付機構６３の下面６４は、ゴムの材質で、下面６４の内部の中央金属部分h、i、と一体型となっており、四方サイドの凸形gは取付機構６３の両サイドにかぶさっている（図２３Ｆ）。
【０１４９】
取付機構６３の内部のlの溝は、図２３Ｆの下面の中央金属部分のiをスライドさせる溝になっており、nの溝は固定レバー６５を手前に倒すと、iをスライドさせて上に上がってきたときにnに収まる（図２３Ｇ）。
【０１５０】
バキュームをかける固定レバー６５は、図２３Ｇのkの穴から図２３Ｆのjの窓にはいり、図２３Ｈのmを通ってoのワッシャー、pのピンで止める。バキュームをかけるときは図２３Ｉのように固定レバー６５を手前に倒してバキュームをかける。固定レバー６５を手前にたおすと中央の金属部分h、iはlの溝でスライドし、取付機構６３の内部の上まであがり、iはnのみぞにおさまり、中央の金属部分h、iは付近のゴムと一緒に上に上がって、取付機構６３の下面６４の裏の中央部分ｑがへこんでバキュームがかかる（図２３Ｊ）。
【０１５１】
図３１は、作業例を示すもので、図２７Ａの筒状治具６をデザインボード治具６１に固定して装飾品９を製作する状態を示す斜視図である。
【０１５２】
図３２Ａから図３２Ｐは筒状治具６（図２７Ａ）の作業例の手順を示す図である。
まず、必要な長さの線材であるワイヤー３を丸カン５に通し（図３２Ａ）、左右に伸びている筒状治具６の作業のしやすい本体３９に、丸カン５を筒状治具６のスリット４１にいれたまま、ワイヤー３の先を筒状治具６にかけて輪をつくり、さらにワイヤー３を９０度位にする（図３２Ｂ、図３２Ｃ）。そして、そのままワイヤー３を輪の根元に２回から３回巻きつける（図３２Ｄ）。本実施形態によれば、輪を作る、巻きつけるが、一連の動作でできる。あまったワイヤー３を切る（図３２Ｅ）。
【０１５３】
次に、この出来上がったパーツを下にして、ビーズ１と丸カン５を通す（図３２Ｆ）。そして、丸カン５を筒状治具６のスリット４１に入れたままワイヤー３の先を筒状治具６にかけて、巻きつける部分をのこして輪をつくり、ワイヤー３を９０度位にする（図３２Ｇ、図３２Ｈ）。そして、そのままワイヤー３を輪の根元に２回から３回巻きつける（図３２Ｉ）。本実施形態によれば、輪を作る、巻きつけるが、一連の動作でできる。あまったワイヤー３を切る（図３２Ｊ）。このようにして、ビーズユニット７ができる。
【０１５４】
さらに、このビーズユニット７の丸カン５の部分に、ワイヤー３を通す（図３２Ｋ）。そして、丸カン５を筒状治具６のスリット４１にいれたまま、ワイヤー３を筒状治具６にかけて輪をつくり、ワイヤー３を９０度位にする（図３２Ｌ、図３２Ｍ）。そして、そのままワイヤー３を輪の根元に２回から３回巻きつける（図３２Ｎ）。本実施形態によれば、つなぐ、輪を作る、巻きつけるが、一連の動作でできる。あまったワイヤー３を切る（図３２Ｏ）。このあとはビーズ１と丸カン５を通す手順から繰り返す。これにより、図６Ｄの装飾品９が製作される。図３２Ｐは図３２Ｇから図３２Ｉの留めかたの例である。このようにビーズ１を入れてからビーズ１の根元でワイヤー３を巻きつける場合は中央の縦型のスリット４１を利用することが好ましい。
【０１５５】
図３８、図３９、図４０に示すように、筒状治具６は、図２７Ａに示す筒状治具６をさらに改良したものである。具体的には、筒状治具６は、筒状の本体３９ａを支持する本体支持部８１の中央付近が、奥行きを持たせるように、曲がっている。そして、筒状の本体３９ａは、本体支持部８１の先端の近傍に形成され、筒状の本体３９ａには、湾曲しながら、かつ、互いに反する方向に伸びる２つの先端部が形成され、開放された先端部には、長手方向へスリット４１が形成される。このように、筒状の本体３９ａが、湾曲しながら、かつ、互いに反する方向に伸びているので、図４０に示すように、筒状の本体３９ａの付け根部ａの近傍に空間が形成されることになり、作業者によっては、ワイヤー３の先端部分３ａを９０度にまげる作業をより効率良く行うことができる。
【０１５６】
この実施形態によれば、線材であるワイヤー３を筒状治具６の本体３９に巻きつけて、丸カン５をスリット４１に挿入しながら丸めた部分を形成する際に（図３２Ｂ、図３２Ｇ、図３２Ｌ）、作業者の手が本体支持部８１に干渉しにくくなり、よって、きれいな丸みが形成できる。
【０１５７】
また、線材であるワイヤー３を筒状治具６の本体３９に巻きつけて、丸めた部分を形成する際に（図４０）、筒状治具６の本体３９ａは湾曲しながら本体支持部８１に接続しているので、本体支持部８１と筒状治具６の本体３９ａにできた空間ａに、線材であるワイヤー３の先端部分３ａを９０度に曲げたとき、筒状治具６の本体３９ａに干渉しないで、この空間の中にはいるので、きれいな丸みが効率良く形成できる。
【０１５８】
さらに、線材であるワイヤー３を筒状治具６の本体３９に巻きつけて、丸めた部分を形成する際に（図３２Ｂ、図３２Ｃ）、筒状治具６の本体３９は、筒状治具６の本体支持部８１から左右対称の位置に設置してあるので、作業者は、２つの本体３９のうち作業しやすい側の本体３９を用いて作業することができるので、きれいな丸みを効率良く形成できる。
【０１５９】
また、デザインボード治具６１ａに設けられた多数の固定穴１７のうち任意の複数の固定穴１７を選択することで、モチーフをデザインする際（図３４）、これらの固定穴１７の底部の鍵穴１０７に、筒状治具の基部の先端に形成された鍵部１０５を挿入し固定することで、筒状治具６は確実に固定されるので（図３０Ｄ）、きれいな丸みや、きれいなモチーフ１３を形成できる（図１２Ｃ）。
【０１６０】
また、デザインボード治具６１に設けられた固定穴１７へ、筒状治具６の基部の貫通穴８３が形成された基部を挿入し、この挿入された基部の貫通穴８３を、デザインボード治具６１の側面に設けられた貫通穴８７を、ネジ機構８５により締め付けることで、堅固に筒状治具６は組み込まれるので（図２５Ａ、図３０Ａ）、複数の筒状治具６に線材であるワイヤー３を連続して巻きつける場合に、デザインボード治具６１（図３１、図３６）で、ビーズユニット７、モチーフユニット１５を容易に作ることができる（図３２Ｋ、図１９Ｎ）。
【０１６１】
さらに、２つの筒状治具６をセットで、筒状治具６の本体３９と筒状治具６の本体３９の間で線材であるワイヤー３を巻きつける場合（図２５Ｂ）、１つ目の筒状治具６を、一方のグループのデザインボード治具６１の固定穴１７に、２つの目の筒状治具６は、他方のグループの同じ位置の固定穴１７を選ぶことにより（図２５Ｃ）、線材であるワイヤー３の巻きつける間隔ｘ（図２５Ｂ）が決まるので、デザインボード治具６１（図３６）で、線材であるワイヤー３の太さ、デザインに合った、モチーフユニット１５を容易に作ることができる（図１９Ｎ）。
【０１６２】
さらに、２つの筒状治具６をセットで、筒状治具６の本体３９と筒状治具６の本体３９の間で線材であるワイヤー３を巻きつける場合（図２５Ｂ）、デザインボード治具６１の一方のグループの固定穴１７から固定穴１７、他方のグループの固定穴１７から固定穴１７は所定の間隔であいているので（図２５Ｃ）、線材であるワイヤー３を巻きつける間隔ｘ（図２５Ｂ）を、正確に巻きつけることができるので、デザインボード治具６１（図３５）で、装飾品９を容易に効率良く作ることができる（図１４Ｄ）。
【０１６３】
また、筒状治具６と、デザインボード治具６１と、デザインボード治具６１を取り外し可能に保持するクランプ機構７０を有する治具台と、をセットで備えることによって、デザインボード治具６１ａ（図２９Ｂ）、デザインボード治具６１ｂ（図２９Ｃ）に合わせたモチーフを作成することができるので、デザインの幅が増え、デザインボード治具６１ａ（図３４）で、モチーフ１３をさらに容易に作ることができる（図１２Ｃ）。
【０１６４】
さらに、筒状治具６と、デザインボード治具６１を取り外し可能に保持するクランプ機構７０を有する治具台に、筒状治具６の基部を挿入し固定するための多数の固定穴１７を有するクランプ機構７０を備えた治具セットを備えることによって、固定穴１７に筒状治具６を固定して（図２５Ｅ、図２５Ｆ）、モチーフ１３をさらに容易に作ることができる（図１２Ｃ）。
【０１６５】
また、一番使用頻度の高い１本で使用する筒状治具を、デザインボード治具を用いないで、簡単に市販のバイスに固定できるバイスアタッチメントを備えることにより、１本で使用する筒状治具を単独で固定でき（図３０Ｆ）、容易にビーズユニット７を作ることができる（図３２Ｋ）。
【０１６６】
さらに、テーブルのような固定台に着脱する着脱機構を備える装飾品製作用の治具セット（図３２Ａ）を備えることにより、テーブルのような固定台がある場所であれば、装飾品９（図６Ｄ、図１４Ｄ、図１７Ｄ、図２０Ｄ）を、どこでも容易に効率良く作ることができる。
【０１６７】
以上の実施形態では、線材は、ワイヤー３であったが、他の実施形態では、より短くて剛性のあるピンでも良い。
【０１６８】
以上の実施形態では、ビーズユニットは、ビーズ１に形成した貫通孔に線材を通して固定し、この固定した線材の丸めた部分に丸カン５を通して作ったものであるが、他の実施形態では、ビーズ１を他の構造で線材に固定するものでもよい。例えば、複数の爪でつかんだ構造、接着剤で固定した構造などである。また、丸カン５は、スリットに挿入できる形状のものであればよい。例えば、Ｃカン、三角カン、パーツ、チェーン、モチーフなどである。
【０１６９】
以上の実施形態では、装飾品９はネックレスやイヤリングであったが、他の実施形態では、リストリングやアンクルリングなど他の装飾品９であってもかまわない。
【０１７０】
以上の実施形態では、筒状治具６を固定するのに、デザインボード治具１１や市販のバイスを使用するためのバイスアタッチメント、及びクランプ機構を備えた治具台を用いたが、他の実施形態では、バイスや万力に挟んで固定し、装飾品９の製作を行うこともできる。
【符号の説明】
【０１７１】
１…ビーズ
３…ワイヤー
５…丸カン
６…筒状治具
７…ビーズユニット
９…装飾品
１１…デザインボード治具
１３…モチーフ
１５…モチーフユニット
１７…固定穴
１９…溝
２１…ネジ機構
２３…スリット窓
２５…ネジ軸
２７…ネジの頭
２９…目盛り
３１…ユニバーサルジョイント
３３…取付機構
３５…コの字状の部分
３７…下辺
３９…本体
４１…スリット
４３…補助筒状治具
４５…始端部
４７…係止孔
４９…先端部
６１…デザインボード治具
６２…凸部
６３…取付機構
６５…固定レバー
７０…クランプ機構
７１…本体部
７２…把持部
７３…ネジ部
７４…ハンドル部
７５…固定穴
８１…本体支持部
８３…貫通穴
８５…ネジ機構
８７…貫通穴
９１…バイスアタッチメント
９２…フレーム本体
９３…永久磁石
１０１…係止部
１０３…クビ部
１０５…鍵部
１０７…鍵穴
【図１】
2010279444.tif 000003
【図２】
2010279444.tif 000004
【図３Ａ】
2010279444.tif 000005
【図３Ｂ】
2010279444.tif 000006
【図３Ｃ】
2010279444.tif 000007
【図３Ｄ】
2010279444.tif 000008
【図３Ｅ】
2010279444.tif 000009
【図３Ｆ】
2010279444.tif 000010
【図４】
2010279444.tif 000011
【図５】
2010279444.tif 000012
【図６Ａ】
2010279444.tif 000013
【図６Ｂ】
2010279444.tif 000014
【図６Ｃ】
2010279444.tif 000015
【図６Ｄ】
2010279444.tif 000016
【図７Ａ】
2010279444.tif 000017
【図７Ｂ】
2010279444.tif 000018
【図７Ｃ】
2010279444.tif 000019
【図７Ｄ】
2010279444.tif 000020
【図７Ｅ】
2010279444.tif 000021
【図７Ｆ】
2010279444.tif 000022
【図７Ｇ】
2010279444.tif 000023
【図７Ｈ】
2010279444.tif 000024
【図７Ｉ】
2010279444.tif 000025
【図７Ｊ】
2010279444.tif 000026
【図８Ｋ】
2010279444.tif 000027
【図８Ｌ】
2010279444.tif 000028
【図８Ｍ】
2010279444.tif 000029
【図８Ｎ】
2010279444.tif 000030
【図８Ｏ】
2010279444.tif 000031
【図９Ａ】
2010279444.tif 000032
【図９Ｂ】
2010279444.tif 000033
【図９Ｃ】
2010279444.tif 000034
【図９Ｄ】
2010279444.tif 000035
【図１０Ａ】
2010279444.tif 000036
【図１０Ｂ】
2010279444.tif 000037
【図１０Ｃ】
2010279444.tif 000038
【図１０Ｄ】
2010279444.tif 000039
【図１０Ｅ】
2010279444.tif 000040
【図１０Ｅ２】
2010279444.tif 000041
【図１０Ｅ３】
2010279444.tif 000042
【図１０Ｅ４】
2010279444.tif 000043
【図１０Ｅ５】
2010279444.tif 000044
【図１０Ｆ】
2010279444.tif 000045
【図１１Ｇ】
2010279444.tif 000046
【図１１Ｈ】
2010279444.tif 000047
【図１１Ｉ】
2010279444.tif 000048
【図１１Ｊ】
2010279444.tif 000049
【図１１Ｋ】
2010279444.tif 000050
【図１２Ａ】
2010279444.tif 000051
【図１２Ｂ】
2010279444.tif 000052
【図１２Ｃ】
2010279444.tif 000053
【図１２Ｄ】
2010279444.tif 000054
【図１２Ｅ】
2010279444.tif 000055
【図１３Ａ】
2010279444.tif 000056
【図１３Ｂ】
2010279444.tif 000057
【図１３Ｃ】
2010279444.tif 000058
【図１３Ｄ】
2010279444.tif 000059
【図１３Ｅ】
2010279444.tif 000060
【図１３Ｆ】
2010279444.tif 000061
【図１３Ｇ】
2010279444.tif 000062
【図１３Ｈ】
2010279444.tif 000063
【図１３Ｉ】
2010279444.tif 000064
【図１３Ｊ】
2010279444.tif 000065
【図１３Ｋ】
2010279444.tif 000066
【図１４Ａ】
2010279444.tif 000067
【図１４Ｂ】
2010279444.tif 000068
【図１４Ｃ】
2010279444.tif 000069
【図１４Ｄ】
2010279444.tif 000070
【図１５Ａ】
2010279444.tif 000071
【図１５Ｂ】
2010279444.tif 000072
【図１５Ｃ】
2010279444.tif 000073
【図１５Ｄ】
2010279444.tif 000074
【図１６Ｅ】
2010279444.tif 000075
【図１６Ｆ】
2010279444.tif 000076
【図１６Ｇ】
2010279444.tif 000077
【図１６Ｈ】
2010279444.tif 000078
【図１６Ｉ】
2010279444.tif 000079
【図１６Ｊ】
2010279444.tif 000080
【図１６Ｋ】
2010279444.tif 000081
【図１７Ａ】
2010279444.tif 000082
【図１７Ｂ】
2010279444.tif 000083
【図１７Ｃ】
2010279444.tif 000084
【図１７Ｄ】
2010279444.tif 000085
【図１８Ａ】
2010279444.tif 000086
【図１８Ｂ】
2010279444.tif 000087
【図１８Ｃ】
2010279444.tif 000088
【図１８Ｄ】
2010279444.tif 000089
【図１８Ｅ】
2010279444.tif 000090
【図１８Ｆ】
2010279444.tif 000091
【図１８Ｇ】
2010279444.tif 000092
【図１８Ｈ】
2010279444.tif 000093
【図１８Ｉ】
2010279444.tif 000094
【図１８Ｊ】
2010279444.tif 000095
【図１８Ｋ】
2010279444.tif 000096
【図１９Ｌ】
2010279444.tif 000097
【図１９Ｍ】
2010279444.tif 000098
【図１９Ｎ】
2010279444.tif 000099
【図１９Ｏ】
2010279444.tif 000100
【図１９Ｐ】
2010279444.tif 000101
【図２０Ａ】
2010279444.tif 000102
【図２０Ｂ】
2010279444.tif 000103
【図２０Ｃ】
2010279444.tif 000104
【図２０Ｄ】
2010279444.tif 000105
【図２１Ａ】
2010279444.tif 000106
【図２１Ｂ】
2010279444.tif 000107
【図２１Ｃ】
2010279444.tif 000108
【図２１Ｄ】
2010279444.tif 000109
【図２１Ｅ】
2010279444.tif 000110
【図２１Ｆ】
2010279444.tif 000111
【図２１Ｇ】
2010279444.tif 000112
【図２２Ｈ】
2010279444.tif 000113
【図２２Ｉ】
2010279444.tif 000114
【図２２Ｊ】
2010279444.tif 000115
【図２２Ｋ】
2010279444.tif 000116
【図２２Ｌ】
2010279444.tif 000117
【図２２Ｍ】
2010279444.tif 000118
【図２２Ｎ】
2010279444.tif 000119
【図２２Ｏ】
2010279444.tif 000120
【図２３Ａ】
2010279444.tif 000121
【図２３Ｂ】
2010279444.tif 000122
【図２３Ｃ】
2010279444.tif 000123
【図２３Ｄ】
2010279444.tif 000124
【図２３Ｅ】
2010279444.tif 000125
【図２３Ｆ】
2010279444.tif 000126
【図２３Ｇ】
2010279444.tif 000127
【図２３Ｈ】
2010279444.tif 000128
【図２３Ｉ】
2010279444.tif 000129
【図２３Ｊ】
2010279444.tif 000130
【図２４Ａ】
2010279444.tif 000131
【図２４Ｂ】
2010279444.tif 000132
【図２４Ｃ】
2010279444.tif 000133
【図２４Ｄ】
2010279444.tif 000134
【図２４Ｅ】
2010279444.tif 000135
【図２５Ａ】
2010279444.tif 000136
【図２５Ｂ】
2010279444.tif 000137
【図２５Ｃ】
2010279444.tif 000138
【図２５Ｄ】
2010279444.tif 000139
【図２５Ｅ】
2010279444.tif 000140
【図２５Ｆ】
2010279444.tif 000141
【図２６Ａ】
2010279444.tif 000142
【図２６Ｂ】
2010279444.tif 000143
【図２７Ａ】
2010279444.tif 000144
【図２７Ｂ】
2010279444.tif 000145
【図２７Ｃ】
2010279444.tif 000146
【図２７Ｄ】
2010279444.tif 000147
【図２７Ｅ】
2010279444.tif 000148
【図２７Ｆ】
2010279444.tif 000149
【図２８Ａ】
2010279444.tif 000150
【図２８Ｂ】
2010279444.tif 000151
【図２８Ｃ】
2010279444.tif 000152
【図２８Ｄ】
2010279444.tif 000153
【図２９Ａ】
2010279444.tif 000154
【図２９Ｂ】
2010279444.tif 000155
【図２９Ｃ】
2010279444.tif 000156
【図３０Ａ】
2010279444.tif 000157
【図３０Ｂ】
2010279444.tif 000158
【図３０Ｃ】
2010279444.tif 000159
【図３０Ｄ】
2010279444.tif 000160
【図３０Ｅ】
2010279444.tif 000161
【図３０Ｆ】
2010279444.tif 000162
【図３１】
2010279444.tif 000163
【図３２Ａ】
2010279444.tif 000164
【図３２Ｂ】
2010279444.tif 000165
【図３２Ｃ】
2010279444.tif 000166
【図３２Ｄ】
2010279444.tif 000167
【図３２Ｅ】
2010279444.tif 000168
【図３２Ｆ】
2010279444.tif 000169
【図３２Ｇ】
2010279444.tif 000170
【図３２Ｈ】
2010279444.tif 000171
【図３２Ｉ】
2010279444.tif 000172
【図３２Ｊ】
2010279444.tif 000173
【図３２Ｋ】
2010279444.tif 000174
【図３２Ｌ】
2010279444.tif 000175
【図３２Ｍ】
2010279444.tif 000176
【図３２Ｎ】
2010279444.tif 000177
【図３２Ｏ】
2010279444.tif 000178
【図３２Ｐ】
2010279444.tif 000179
【図３３】
2010279444.tif 000180
【図３４】
2010279444.tif 000181
【図３５】
2010279444.tif 000182
【図３６】
2010279444.tif 000183
【図３７】
2010279444.tif 000184
【図３８】
2010279444.tif 000185
【図３９】
2010279444.tif 000186
【図４０】
2010279444.tif 000187
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
ビーズに固定した金属製の線材の丸めた部分に丸カン類を通してビーズユニットを作り、この１個のビーズユニットを用いて、又は前記丸カン類を共有することで複数の前記ビーズユニットを連ねたものを用いて、装飾品を製作するための製作用の筒状治具、
あるいは、金属製の線材を屈曲して形成するモチーフの丸めた部分に丸カン類を通してモチーフユニットを作り、前記丸カン類を共有することで複数の前記ビーズユニット及び前記モチーフユニットを連ねたものを用いて、装飾品を製作するための製作用の筒状治具を複数隣接して固定し、これら複数の筒状治具に前記線材を連続して巻きつけることで前記モチーフをデザインして前記モチーフユニットを作り、前記装飾品を製作するための製作用の治具であって、
前記筒状治具は、前記線材を巻きつけるための筒状の本体と、この本体の開放された先端部に長手方向へ形成され前記丸カン類を挿入できるスリットと、前記筒状の本体を支持する中央付近が曲がっている本体支持部と、前記筒状治具の基部の先端に形成された鍵部と、を有し、
前記筒状治具の前記基部の先端を挿入し固定するための多数の固定穴と、
前記固定穴の底部に形成され、この挿入された前記基部の先端に形成された鍵部と係止する鍵穴と、を備え、
前記固定穴に挿入された前記基部の前記鍵部の向きに応じて前記基部を固定する鍵機構を有することを特徴とする装飾品製作用のデザインボード治具。
【請求項２】
ビーズに固定した金属製の線材の丸めた部分に丸カン類を通してビーズユニットを作り、この１個のビーズユニットを用いて、又は前記丸カン類を共有することで複数の前記ビーズユニットを連ねたものを用いて、装飾品を製作するための製作用の筒状治具、
あるいは、金属製の線材を屈曲して形成するモチーフの丸めた部分に丸カン類を通してモチーフユニットを作り、前記丸カン類を共有することで複数の前記ビーズユニット及び前記モチーフユニットを連ねたものを用いて、装飾品を製作するための製作用の筒状治具を複数隣接して固定し、これら複数の筒状治具に前記線材を連続して巻きつけることで前記モチーフをデザインして前記モチーフユニットを作り、前記装飾品を製作するための製作用の治具であって、
前記筒状治具は、前記線材を巻きつけるための筒状の本体と、この本体の開放された先端部に長手方向へ形成され前記丸カン類を挿入できるスリットと、前記筒状の本体を支持する中央付近が曲がっている本体支持部と、前記筒状治具の基部に形成された貫通穴と、を有し、
前記筒状治具の前記基部の先端を挿入し固定するための多数の固定穴と、
前記治具の側面に設けられた治具貫通穴と、を備え、
前記筒状治具に設けられた貫通穴と、前記治具の側面に設けられた前記治具貫通穴とを通って、前記筒状治具の基部を固定するネジ機構を有することを特徴とする装飾品製作用のデザインボード治具。
【請求項３】
前記金属製の線材は、ワイヤー又はピンであり、前記ビーズユニットは、前記ビーズに形成した貫通孔に前記線材を通して固定し、この固定した線材の丸めた部分に丸カン類を通して作ったものであり、前記装飾品はネックレス、イヤリング、リストリング、又はアンクルリングであることを特徴とする請求項１又は２に記載の装飾品製作用のデザインボード治具。
【請求項４】
前記筒状の本体の先端部付近には、前記線材の始端部を挿入して係止するための係止孔が設けられていることを特徴とする請求項１から３のいずれかに記載の装飾品製作用のデザインボード治具。
【請求項５】
前記筒状の本体の先端部付近は、複数に分岐し、これら複数の先端部に、前記スリットが形成されていることを特徴とする請求項１から４のいずれかに記載の装飾品製作用のデザインボード治具。
【請求項６】
前記筒状の本体の先端部付近は、複数に分岐し、これら複数のうち一部の先端部には、前記スリットが形成され、残りの先端部は、径の異なる筒状となり、前記線材を連続して巻きつけることで前記モチーフがデザインされることを特徴とする請求項１から５のいずれかに記載の装飾品製作用のデザインボード治具。
【請求項７】
前記多数の固定穴は、一方のグループに属する多数の固定穴と、他方のグループに属す
る多数の固定穴とに分けられ、
前記一方のグループに属する多数の固定穴と固定穴の間隔は、同じ間隔であり、
前記他方のグループに属する多数の固定穴と固定穴の間隔は、前記一方のグループに属する多数の固定穴と固定穴の間隔に、一定の間隔を増加させた間隔であることを特徴とする請求項１から６のいずれかに記載の装飾品製作用のデザインボード治具。
【請求項８】
請求項１から７のいずれかに記載の筒状治具と、請求項１から７のいずれかに記載のデザインボード治具と、前記線材を巻きつけることで前記モチーフをデザインする際に、前記線材を補助的に支持するための形状を先端に形成した補助筒状治具と、を備えたことを特徴とする装飾品製作用の治具セット。